(57)【要約】【課題】  情報記録媒体において、ディフェクト管理によって記録された記録データの再利用を可能ならしめる。【解決手段】  情報記録媒体は、記録データを記録するためのユーザデータエリアと、該ユーザデータエリアにおけるディフェクト管理に伴い、ユーザデータエリアの一部を代替するためのスペアエリアと、ディフェクト管理によるユーザデータエリアにおける代替記録に伴い、ユーザデータエリアにおける退避元アドレスとスペアエリアにおける退避先アドレスとの対応関係を示す第１情報（ＤＬＥ４）と、ディフェクト管理によるスペアエリアにおける代替記録に伴い、スペアエリアにおける代替元アドレスとスペアエリアにおける代替先アドレスとの対応関係を示す第２情報（ＤＬＥ１〜３等）とを含んでなるディフェクト管理情報（１２２）を記録するためのディフェクト管理エリアとを備える【選択図】  図６  
2005322337.tif 000002
【特許請求の範囲】
【請求項１】
記録データを記録するためのユーザデータエリアと、
該ユーザデータエリアにおけるディフェクト管理に伴い、前記ユーザデータエリアの一部を代替するためのスペアエリアと、
前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアと
を備えることを特徴とする情報記録媒体。
【請求項２】
前記ディフェクト管理情報は、前記ユーザデータエリアにおける代替記録、又は、前記スペアエリアにおける代替記録が完了したか否かを示す第１状態情報を更に含むことを特徴とする請求項１に記載の情報記録媒体。
【請求項３】
前記ディフェクト管理情報は、前記第１状態情報が、第１状態である場合には、前記第１情報を示すと共に、前記第１状態情報が、第２状態である場合には、前記第２情報を示すことを特徴とする請求項２に記載の情報記録媒体。
【請求項４】
前記ディフェクト管理情報は、前記第１情報に対応した前記退避元アドレスにおける第１場所、又は、前記第２情報に対応した前記代替元アドレスにおける第２場所の記録状態を示す第２状態情報を更に含むことを特徴とする請求項１に記載の情報記録媒体。
【請求項５】
前記ディフェクト管理エリアは、一時的ディフェクト管理エリアに加えて又は代えて確定的ディフェクト管理エリアを備えて構成されていることを特徴とする請求項１に記載の情報記録媒体。
【請求項６】
前記ユーザデータエリアのディフェクト管理情報を記録するための確定的ディフェクト管理エリアを含み、前記ユーザデータエリアへの記録及び読取のうち少なくとも一方を制御する情報を記録するための制御情報記録エリアを更に備えていることを特徴とする請求項５に記載の情報記録媒体。
【請求項７】
前記退避元アドレス、前記退避先アドレス、前記代替元アドレス及び前記代替先アドレスのうち少なくとも一つは、前記ユーザデータエリアにおける絶対的アドレス又は所定の地点を基準とする相対的アドレスによって特定されていることを特徴とする請求項１に記載の情報記録媒体。
【請求項８】
（ｉ）記録データを記録するためのユーザデータエリアと、（ｉｉ）該ユーザデータエリアにおけるディフェクト管理に伴い、前記ユーザデータエリアの一部を代替するためのスペアエリアと、（ｉｉｉ）前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備えた情報記録媒体に前記記録データを記録するための記録装置であって、
前記ディフェクト管理情報を作成又は更新するディフェクト管理情報作成手段と、
前記記録データと前記作成又は更新されたディフェクト管理情報とを記録する記録手段と
を備えることを特徴とする記録装置。
【請求項９】
前記ディフェクト管理情報作成手段は、前記ユーザデータエリアにおける代替記録、又は、前記スペアエリアにおける代替記録が完了したか否かを示す第１状態情報を更に含めて、前記ディフェクト管理情報を作成又は更新することを特徴とする請求項８に記載の記録装置。
【請求項１０】
前記ディフェクト管理情報作成手段は、前記第１情報に対応した前記退避元アドレスにおける第１場所、又は、前記第２情報に対応した前記代替元アドレスにおける第２場所の記録状態を示す第２状態情報を更に含めて、前記ディフェクト管理情報を作成又は更新することを特徴とする請求項８に記載の記録装置。
【請求項１１】
前記ディフェクト管理情報作成手段によるディフェクト管理情報の作成又は更新が行われた場合に、前記作成又は更新されたディフェクト管理情報を前記ディフェクト管理エリアに記録するように前記記録手段を制御する第１記録制御手段を更に備えていることを特徴とする請求項８に記載の記録装置。
【請求項１２】
前記情報記録媒体の前記ディフェクト管理エリアから前記ディフェクト管理情報を読み取り、前記読み取られたディフェクト管理情報を前記記憶手段に記憶させるディフェクト管理情報取得手段を更に備え、
前記ディフェクト管理情報作成手段は、前記記録手段により前記記録データを前記ユーザデータエリアに記録する場合に、前記ディフェクト管理情報取得手段により前記記憶手段に記憶されたディフェクト管理情報を更新し、
前記第１記録制御手段は、当該ディフェクト管理情報の更新が行われた場合に、前記ディフェクト管理情報を前記ディフェクト管理エリアに記録するように前記記録手段を制御することを特徴とする請求項１１に記載の記録装置。
【請求項１３】
前記情報記録媒体は、前記ユーザデータエリアのディフェクト管理情報を記録するための確定的ディフェクト管理エリアを含み、前記ユーザデータエリアへの記録及び読取のうち少なくとも一方を制御する情報を記録するための制御情報記録エリアを更に備えており、
前記情報記録媒体に対しファイナライズを行うべき旨の命令を発するファイナライズ命令手段と、
前記ファイナライズ命令手段によりファイナライズを行うべき旨の命令が発せられた場合に、前記作成又は更新されたディフェクト管理情報を前記確定的ディフェクト管理エリアに記録するように前記記録手段を制御する第２記録制御手段と
を更に備えていることを特徴とする請求項８に記載の記録装置。
【請求項１４】
（ｉ）記録データを記録するためのユーザデータエリアと、（ｉｉ）該ユーザデータエリアにおけるディフェクト管理に伴い、前記ユーザデータエリアの一部を代替するためのスペアエリアと、（ｉｉｉ）前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備えた情報記録媒体に前記記録データを記録可能な記録手段を備えた記録装置における記録方法であって、
前記ディフェクト管理情報を作成又は更新するディフェクト管理情報作成工程と、
前記記録データ、及び前記作成又は更新されたディフェクト管理情報のうち少なくとも一つを記録するように記録手段を制御する制御工程と
を備えたことを特徴とする記録方法。
【請求項１５】
請求項１に記載の情報記録媒体に記録された前記記録データを再生するための再生装置であって、
記憶手段と、
前記ディフェクト管理エリアに記録された前記ディフェクト管理情報を読み取り、該読み取られたディフェクト管理情報を前記記憶手段に記憶させる読取手段と、
前記記憶手段にて記憶されたディフェクト管理情報に基づいて、前記ユーザデータエリアに記録された記録データ又は前記スペアエリアに記録された記録データを再生する再生手段と
を備えていることを特徴とする再生装置。
【請求項１６】
請求項１に記載の情報記録媒体に記録された前記記録データを再生するための再生装置における再生方法であって、
前記ディフェクト管理エリアに記録された前記ディフェクト管理情報を読み取る読取工程と、
前記読み取られたディフェクト管理情報に基づいて、前記ユーザデータエリアに記録された記録データ又は前記スペアエリアに記録された記録データを再生する再生工程と
を備えていることを特徴とする再生方法。
【請求項１７】
請求項８に記載の記録装置に備えられたコンピュータを制御する記録制御用のコンピュータプログラムであって、該コンピュータを、前記ディフェクト管理情報作成手段、及び、前記記録手段のうち少なくとも一部として機能させることを特徴とするコンピュータプログラム。
【請求項１８】
請求項１５に記載の再生装置に備えられたコンピュータを制御する再生制御用のコンピュータプログラムであって、該コンピュータを、前記読取手段及び前記再生手段のうち少なくとも一部として機能させることを特徴とするコンピュータプログラム。
【請求項１９】
記録データを記録するためのユーザデータエリアと、
該ユーザデータエリアにおけるディフェクト管理に伴い、前記ユーザデータエリアの一部を代替するためのスペアエリアと、
前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアと
を備えることを特徴とする制御信号を含むデータ構造。
【発明の詳細な説明】
【技術分野】
【０００１】
本発明は、例えば追記型又は書換型ＤＶＤ等の情報記録媒体、情報記録媒体を記録するためのＤＶＤレコーダ等の情報記録装置及び方法、情報記録媒体に記録された記録データを再生するための情報再生装置及び方法、記録又は再生制御用のコンピュータプログラム、並びに、記録又は再生制御用の制御信号を含むデータ構造の技術分野に関する。
【背景技術】
【０００２】
光ディスク、磁気ディスク、光磁気ディスク等の高密度記録媒体における記録データの記録及び読取の信頼性を向上させるための技術として、ディフェクト管理がある。即ち、記録媒体上に存在する傷もしくは塵埃、又は記録媒体の劣化等（これらを総じて「ディフェクト」と呼ぶ。）が存在するときには、そのディフェクトが存在する場所に記録すべきデータ又は記録されたデータを、記録媒体上の他の領域（これを「スペアエリア」と呼ぶ。）に記録する。このように、ディフェクトにより記録不全又は読取不全となるおそれがある記録データをスペアエリアに退避させることにより、記録データの記録及び読取の信頼性を向上させることができる（特許文献１参照）。
【０００３】
一般に、ディフェクト管理を行うために、ディフェクトリストを作成する。ディフェクトリストには、記録媒体上に存在するディフェクトの位置を示すアドレス情報（本願では、適宜、「退避元アドレス」と称する）と、ディフェクトが存在する場所に記録すべきであったデータ又は記録されていたデータを退避させたスペアエリアの場所（例えばスペアエリア内の記録位置：本願では、適宜、「退避先アドレス」と称する）を示すアドレス情報とが記録される。ディフェクトリストの作成は、記録媒体をイニシャライズないしフォーマットするときに行われる。また、ディフェクトリストの作成は、記録データを当該記録媒体に記録するときにも行われる。記録データの記録・書換が数度行われるときには、記録データの記録・書換が行われて、ディフェクトが発見されたり、データの退避が行われたりした場合にディフェクトリストの作成又は更新が行われる。記録データを記録媒体に記録するときには、ディフェクトリストを参照する。これにより、ディフェクトの存在する場所を避けながら記録データを記録媒体に記録することができる。一方、記録媒体に記録された記録データを再生するときにも、ディフェクトリストを参照する。
【０００４】
このようにディフェクト管理により、通常の記録領域に記録された記録データと、ディフェクトの存在によりスペアエリアに記録されている記録データとをディフェクトリストに基づいて確実に読み取ることができる。
【０００５】
他方、１ＥＣＣ（Error Correcting Code）ブロックより小さなデータ量の記録データが記録される場合、記録装置の制御下で、所謂、リードモディファイライト（ＲＭＷ：Read Modify Write）処理が行われる（以下、適宜「ＲＭＷ処理」と称す）。ここに、「ＲＭＷ処理」とは、３つの処理によって構成されている記録動作である。より具体的には、ＲＭＷ処理では、第１ステップとして、記録媒体から記録データが、例えば、１セクタ又は１ＥＣＣブロック単位等の最小記録単位でバッファーに蓄えられ、読み取られる。第２ステップとして、この読み込まれた記録データの一部に対して、他のデータの追加等の修正が加えられる。第３ステップとして、この修正された記録データが、記録媒体の同じアドレスに１セクタ又は１ＥＣＣブロック単位等の最小記録単位で記録される。尚、記録データのバッファリングが十分でない場合、ＲＭＷ処理が連続して行われる。
【０００６】
上述したディフェクト管理の機能を備える記録装置によれば、ＲＭＷ処理において、エラー訂正が不可能なリードエラー（読み取りエラー）が第１ステップにおいて発生した場合も、同様のディフェクト管理により、通常の記録領域に記録された記録データと、ディフェクトの存在によりスペアエリアに記録されている記録データとをディフェクトリストに基づいて確実に読み取ることができる。
【０００７】
【特許文献１】特開平１１−１８５３９０号公報
【特許文献２】特開平６−２４３５９１号公報
【特許文献３】特開平８−３１５５４７号公報
【発明の開示】
【発明が解決しようとする課題】
【０００８】
しかしながら、例えば、追記型又は書換型ＤＶＤ等の情報記録媒体に対して、上述の如きディフェクト管理とＲＭＷ処理との両方の技術を適用すると、ディフェクトが連続して発生した場合、ディフェクトにより記録不全又は読取不全となるおそれがある通常の記録領域に記録された記録データをスペアエリアへ退避させると共に、更に、このスペアエリアに記録された記録データを他のスペアエリアへ退避させる必要がある。このように、ディフェクトが連続して発生した場合、ディフェクト管理によって、記録データの退避が複数のスペアエリアで連続して行われると、ディフェクトが発生した退避元アドレスをディフェクトリストに基づいて時間を遡って認識（取得）することができないという技術的な問題がある。よって、時間を遡って過去の退避元アドレスに対して、再度、ＲＭＷ処理を行うことができないという技術的な問題がある。
【０００９】
そこで本発明は、例えば上記問題点に鑑みなされたものであり、ディフェクト管理によって記録された記録データの再利用を可能ならしめる情報記録媒体、その情報記録媒体に記録データを記録する記録装置及び記録方法、その情報記録媒体に記録された記録データを再生する再生装置及び再生方法、該記録装置又は再生装置に用いられるコンピュータプログラム、並びに記録又は再生制御用の制御信号を含むデータ構造を提供することを課題とする。
【課題を解決するための手段】
【００１０】
本発明の請求項１に記載の情報記録媒体は上記課題を解決するために、記録データを記録するためのユーザデータエリアと、該ユーザデータエリアにおけるディフェクト管理に伴い、前記ユーザデータエリアの一部を代替するためのスペアエリアと、前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備える。
【００１１】
本発明の請求項８に記載の記録装置は上記課題を解決するために、（ｉ）記録データを記録するためのユーザデータエリアと、（ｉｉ）該ユーザデータエリアにおけるディフェクト管理に伴い、前記ユーザデータエリアの一部を代替するためのスペアエリアと、（ｉｉｉ）前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備えた情報記録媒体に前記記録データを記録するための記録装置であって、前記ディフェクト管理情報を作成又は更新するディフェクト管理情報作成手段と、前記記録データと前記作成又は更新されたディフェクト管理情報とを記録する記録手段とを備える。
【００１２】
本発明の請求項１４に記載の記録方法は上記課題を解決するために、（ｉ）記録データを記録するためのユーザデータエリアと、（ｉｉ）該ユーザデータエリアにおけるディフェクト管理に伴い、前記ユーザデータエリアの一部を代替するためのスペアエリアと、（ｉｉｉ）前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備えた情報記録媒体に前記記録データを記録可能な記録手段を備えた記録装置における記録方法であって、前記ディフェクト管理情報を作成又は更新するディフェクト管理情報作成工程と、前記記録データ、及び前記作成又は更新されたディフェクト管理情報のうち少なくとも一つを記録するように記録手段を制御する制御工程とを備える。
【００１３】
本発明の請求項１５に記載の再生装置は上記課題を解決するために、請求項１に記載の情報記録媒体に記録された前記記録データを再生するための再生装置であって、記憶手段と、前記ディフェクト管理エリアに記録された前記ディフェクト管理情報を読み取り、該読み取られたディフェクト管理情報を前記記憶手段に記憶させる読取手段と、前記記憶手段にて記憶されたディフェクト管理情報に基づいて、前記ユーザデータエリアに記録された記録データ又は前記スペアエリアに記録された記録データを再生する再生手段とを備える。
【００１４】
本発明の請求項１６に記載の再生方法は上記課題を解決するために、請求項１に記載の情報記録媒体に記録された前記記録データを再生するための再生装置における再生方法であって、前記ディフェクト管理エリアに記録された前記ディフェクト管理情報を読み取る読取工程と、前記読み取られたディフェクト管理情報に基づいて、前記ユーザデータエリアに記録された記録データ又は前記スペアエリアに記録された記録データを再生する再生工程とを備える。
【００１５】
本発明の請求項１７に記載のコンピュータプログラムは上記課題を解決するために、請求項８に記載の記録装置に備えられたコンピュータを制御する記録制御用のコンピュータプログラムであって、該コンピュータを、前記ディフェクト管理情報作成手段及び前記記録手段のうち少なくとも一部として機能させる。
【００１６】
本発明の請求項１８に記載のコンピュータプログラムは上記課題を解決するために、請求項１５に記載の再生装置に備えられたコンピュータを制御する再生制御用のコンピュータプログラムであって、該コンピュータを、前記読取手段及び前記再生手段のうち少なくとも一部として機能させる。
【００１７】
本発明の請求項１９に記載の制御信号を含むデータ構造は上記課題を解決するために、記録データを記録するためのユーザデータエリアと、該ユーザデータエリアにおけるディフェクト管理に伴い、前記ユーザデータエリアの一部を代替するためのスペアエリアと、前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備える。
【００１８】
本発明の作用及び他の利得は次に説明する実施するための最良の形態から明らかにされよう。
【発明を実施するための最良の形態】
【００１９】
（情報記録媒体に係る実施形態）
以下、本発明の実施形態に係る情報記録媒体について説明する。
【００２０】
本発明の情報記録媒体に係る実施形態は、記録データを記録するためのユーザデータエリアと、該ユーザデータエリアにおけるディフェクト管理に伴い、前記ユーザデータエリアの一部を代替するためのスペアエリアと、前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備える。
【００２１】
本発明の情報記録媒体に係る実施形態によれば、主として再生又は実行の対象となるデータであり、例えば、画像データ、音声データ、文書データ、コンテンツデータ、コンピュータプログラム等の一連のコンテンツを含んでなる記録データを、ユーザデータエリアに記録することが可能である。そして、例えば、実施形態に係る情報記録媒体の属性・種類などを示す情報、記録データのアドレス管理をするための情報、ドライブ装置の記録動作・読取動作を制御するための情報を、例えば後述の制御情報記録エリアに記録することで、ユーザデータエリアに記録された記録データの記録及び再生を適切に実行することが可能である。
【００２２】
ディフェクト管理エリアには、係るユーザデータエリアのディフェクト管理情報が記録される。ここに、本発明における「ディフェクト管理情報」とは、所謂、ディフェクト管理による代替記録動作に用いられる情報であり、ユーザデータエリア内の退避元アドレスとスペアエリア内の退避先アドレスとの対応関係を示した組の情報や、例えば、代替リストエントリー（ディフェクトリストエントリー）等の情報を含んでなる。本発明に係る「アドレス」とは、具体的には、ＥＣＣブロック単位又はセクタ単位によって特定可能な位置情報を意味する。そして例えば、ディフェクト管理エリアは、実施形態に係る情報記録媒体が例えばファイナライズされるまでの間、ディフェクト管理情報を記録するための領域である。従って、例えばファイナライズされるまでは、当該情報記録媒体を再生する場合には、ディフェクト管理エリアよりディフェクト管理情報を読み取ることで、ディフェクト管理を行う。
【００２３】
特に、本実施形態では、ディフェクト管理情報は、ディフェクト管理の代替記録に伴い、ユーザデータエリアにおける退避元アドレスとスペアエリアにおける退避先アドレスとの対応関係を示す第１情報と、スペアエリアにおける代替記録に伴い、スペアエリアにおける代替元アドレスとスペアエリアにおける代替先アドレスとの対応関係を示す第２情報とを含む。このように、ディフェクト管理情報は、ユーザデータエリアとスペアエリア間の代替記録に加えて、複数のスペアエリア間の代替記録に関する情報である。
【００２４】
以上より、例えば、ＲＭＷ処理時において、所望のＥＣＣブロックのアドレスにディフェクトが存在し、記録データの読み取りができなかった場合でも、ディフェクト管理情報を参照して、代替記録の履歴を、時間を遡って取得することができるので、ディフェクト管理（スペアエリアにおける代替記録）によって退避元アドレス（代替元アドレス）の場所に記録された記録データを再度再生することが可能となる。即ち、時間を遡って、過去の記録データを再度再生することが可能であるので、所望の記録データの読み取りに失敗することはない。また、例えば、指紋等のふき取りや、記録装置の読み取り状態の好変化等によって再生可能となった場合でも、再度再生することが可能である。従って、読み込みエラーが記録装置のＣＰＵに入力されることはない。
【００２５】
以上より、記録データのバージョン管理を行うようなアプリケーションで、履歴又は世代を時間的に遡って古い旧バージョンのファイル等の記録データを再度再生する必要がある場合などに特定のＥＣＣブロックを再利用することが可能である。
【００２６】
本発明の情報記録媒体に係る実施形態の一態様では、前記ディフェクト管理情報は、前記ユーザデータエリアにおける代替記録、又は、前記スペアエリアにおける代替記録が完了したか否かを示す第１状態情報を更に含む。
【００２７】
この態様によれば、ディフェクト管理情報は、第１状態情報を、退避元アドレス（代替元アドレス）と退避先アドレス（代替先アドレス）との組に対応させて含む。従って、後述される記録再生装置によって、単一のディフェクト管理情報を表現するために必要なフォーマットを統一することが可能となり、例えば、第１状態情報をキーとしたソートの実行が可能である。
【００２８】
この態様では、前記ディフェクト管理情報は、前記第１状態情報が、第１状態である場合には、前記第１情報を示すと共に、前記第１状態情報が、第２状態である場合には、前記第２情報を示すように構成してもよい。
【００２９】
このように構成すれば、第１状態情報が、例えば「退避済み」である第１状態である場合には、前述した第１情報を示すようにしてもよい。他方、第１状態情報が、例えば「使用不可」である第２状態である場合には、前述した第２情報を示すようにしてもよい。従って、後述される記録再生装置によって、単一のディフェクト管理情報を表現するために必要なフォーマットを統一することが可能となり、例えば、第１状態情報をキーとしたソートの実行が可能である。より具体的には、スペアエリアにおける代替記録に基づくスペアエリア内の代替先アドレス又は代替元アドレスをキーとしたソートの実行が可能である。以上より、ディフェクト管理情報の更新、並べ替え及び作成等のハンドリングを容易にすることが可能となる。
【００３０】
本発明の情報記録媒体に係る実施形態の他の態様では、前記ディフェクト管理情報は、前記第１情報に対応した前記退避元アドレスにおける第１場所、又は、前記第２情報に対応した前記代替元アドレスにおける第２場所の記録状態を示す第２状態情報を更に含む。
【００３１】
この態様によれば、ディフェクト管理情報は、第２状態情報を、退避元アドレス（代替元アドレス）と退避先アドレス（代替先アドレス）との組に対応させて更に含む。ここに、「第２状態情報」とは、ディフェクト管理に基づくスペアエリア内の退避先アドレス、又は、スペアエリアにおける代替記録に基づくスペアエリア内の代替元アドレスの記録状態を示した情報である。より具体的には、「第１状態情報」が「退避済み」である場合は、ディフェクト管理に基づくスペアエリア内の退避先アドレスにおいて、記録済み又は未記録等の記録状態を示すようにしてもよい。他方、「第１状態情報」が「使用不可」である場合は、スペアエリアにおける代替記録に基づくスペアエリア内の代替元アドレスの記録済み又は未記録等の記録状態を示すようにしてもよい。
【００３２】
以上より、この第２状態情報をディフェクトリストから読み取ることによって、所望のセクタ番号等のアドレスに直接アクセスすることが可能となり、所望のファイル等の記録データへのアクセス時間を短縮することが可能となる。
【００３３】
本発明の情報記録媒体に係る実施形態の他の態様では、前記ディフェクト管理エリアは、一時的ディフェクト管理エリアに加えて又は代えて確定的ディフェクト管理エリアを備えて構成されている。
【００３４】
この態様によれば、ディフェクト管理情報を一時的ディフェクト管理エリア、或いは、確定的ディフェクト管理エリアに複数回反復して記録するように構成してもよい。ここに、「一時的ディフェクト管理エリア」とは、本実施形態に係る情報記録媒体が例えばファイナライズされるまでの間、ディフェクト管理情報を記録するための領域である。また、「確定的ディフェクト管理エリア」とは、情報記録媒体がファイナライズされ、これ以上ディフェクト管理情報が更新されず、ディフェクト管理情報の内容が確定されたときに、そのディフェクト管理情報を記録するための領域である。これにより、ディフェクト管理情報を情報記録媒体上に確実に保持することが可能となる。
【００３５】
加えて、一時的ディフェクト管理エリアの広さを設定し、この設定された一時的ディフェクト管理エリアの広さに応じてユーザデータエリアの位置を設定するように構成してもよい。例えば、一時的ディフェクト管理エリアを広く設定すれば、一時的ディフェクト管理エリア内により多くのディフェクト管理情報を記録することができる。即ち、この場合には、ディフェクト管理情報を並列的に何度も記録可能となるため、更新の回数が多数に及んでも、各ディフェクト管理情報を記録保持することが可能となる。これによりディフェクトの多発しやすい悪い環境で情報記録媒体を使用する場合でも、記録データの記録・再生の信頼性を維持し、又は高めることができる。更に、例えば同一内容のディフェクト管理情報を反復的に記録する個数を増やすことができ、ディフェクト管理情報の記録保持の確実性を高めることもできる。一方、一時的ディフェクト管理エリアを狭く設定すれば、その分、ユーザデータエリアを広く確保することができるので、情報記録媒体の実質的な記録容量を増やすことができる。一時的ディフェクト管理エリアの範囲設定をユーザに委ねることとすれば、ユーザによる情報記録媒体の利用態様に応じて一時的ディフェクト管理エリアを適切に設定することが可能となる。
【００３６】
この態様では、前記ユーザデータエリアのディフェクト管理情報を記録するための確定的ディフェクト管理エリアを含み、前記ユーザデータエリアへの記録及び読取のうち少なくとも一方を制御する情報を記録するための制御情報記録エリアを更に備えているように構成してもよい。
【００３７】
このように構成すれば、本実施形態に係る情報記録媒体と、例えば、追記型情報記録媒体と書換型情報記録媒体との互換性を保持することが可能となる。
【００３８】
例えばファイナライズされた後に、当該情報記録媒体を再生する場合には、確定的ディフェクト管理エリアよりディフェクト管理情報を読み取ることで、ディフェクト管理が行われる。加えて、確定的ディフェクト管理エリアは、制御情報記録エリア内に配置されている。一般に普及している、ディフェクトリストを記録装置が管理する書換型の情報記録媒体はディフェクト管理エリアを制御情報記録エリア内に配置しているものが多い。また、これから開発される書換型の情報記録媒体もディフェクト管理エリアは制御情報エリア内に配置されるものが多いことが予想される。従って、本実施形態では、このような一般の書換型記録媒体と同様の構造を採用しているため、同じ規格の書換型の情報記録媒体との間で互換性をとることができる。その結果、再生専用や書換可能型の各種再生装置において、本実施形態に係る情報記録媒体を適切に再生することが可能となる。従って、公衆への普及の容易性という点において極めて大きな利点を有することとなる。
【００３９】
本発明の情報記録媒体に係る実施形態の他の態様では、前記退避元アドレス、前記退避先アドレス、前記代替元アドレス及び前記代替先アドレスのうち少なくとも一つは、前記ユーザデータエリアにおける絶対的アドレス又は所定の地点を基準とする相対的アドレスによって特定されている。
【００４０】
この態様によれば、退避元アドレス、退避先アドレス、代替元アドレス及び代替先アドレスのうち少なくとも一つが、ユーザデータエリアにおける物理アドレス等の絶対的アドレスによって特定されることで、例えば後述の記録再生装置における記録及び再生動作の際に、アドレス演算に係る処理負担を軽減できる。従って、記録及び再生動作に係る処理パフォーマンスの向上（例えば高速化等）を図ることが可能となる。
【００４１】
他方、退避元アドレス、退避先アドレス、代替元アドレス及び代替先アドレスのうち少なくとも一つが、ユーザデータエリアにおける所定の地点を基準とする相対的アドレスによって特定されることで、ディフェクト管理情報のデータ量を削減することが可能となる。
【００４２】
（記録装置及び方法の実施形態）
本発明の記録装置に係る実施形態は、（ｉ）記録データを記録するためのユーザデータエリアと、（ｉｉ）該ユーザデータエリアにおけるディフェクト管理に伴い、前記ユーザデータエリアの一部を代替するためのスペアエリアと、（ｉｉｉ）前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備えた情報記録媒体に前記記録データを記録するための記録装置であって、前記ディフェクト管理情報を作成又は更新するディフェクト管理情報作成手段と、前記記録データと前記作成又は更新されたディフェクト管理情報とを記録する記録手段とを備える。
【００４３】
本発明の記録装置に係る実施形態によれば、例えば光ピックアップとそれを制御するためのコントローラ等を含んでなる記録手段を用いて、上述した本発明の情報記録媒体に係る実施形態に適切に記録データを記録することが可能となる。
【００４４】
具体的には、先ず記録手段が、情報記録媒体のユーザデータエリア内に記録データを記録する。一方、本実施形態に係る記録装置において、情報記録媒体上に存在するディフェクトの位置等を示す前述したディフェクトリストエントリー（代替リストエントリー）を含むディフェクト管理情報がディフェクト管理情報作成手段により作成される。該作成又は取得されたディフェクト管理情報は、例えばＲＡＭ等のメモリを含んでなる記憶手段に記憶する用に構成してもよい。
【００４５】
このとき、本実施形態では、ディフェクト管理情報作成手段は、ディフェクト管理に伴う代替記録に伴い、ユーザデータエリアにおける退避元アドレスとスペアエリアにおける退避先アドレスとの対応関係を示す第１情報と、スペアエリアにおける代替記録に伴い、スペアエリアにおける代替元アドレスとスペアエリアにおける代替先アドレスとの対応関係を示す第２情報とを含むようにディフェクト管理情報を作成する。
【００４６】
そして、記録手段は、このようにして作成されたディフェクト管理情報を情報記録媒体のディフェクト管理エリアに記録する。記録手段がディフェクト管理情報をディフェクト管理エリアに記録する時期は、様々あり得るが、例えば、情報記録媒体がイニシャライズないしフォーマットされた直後、情報記録媒体に一連の記録データが記録された直後などが考えられる。加えて、記録手段は、代替された記録データをスペアエリアに記録する。
【００４７】
以上の結果、本実施形態に係る記録装置によれば、上述した本実施形態に係る情報記録媒体に適切に記録データを記録できると共に、当該情報記録媒体が有する上述の各種利益を享受できる。
【００４８】
尚、上述した本発明の情報記録媒体に係る実施形態における各種態様に対応して、本発明の記録装置に係る実施形態も各種態様を採ることが可能である。
【００４９】
又、ディフェクト管理情報は、情報記録媒体もしくはその他の通信路を介して取得されるように構成してもよい。この場合、ディフェクト管理情報作成手段は、ディフェクト管理情報を作成又は更新することに代えて、当該ディフェクト管理情報を当該情報記録媒体若しくはその他の通信路を介して取得可能に構成されていることが好ましい。
【００５０】
又、情報記録媒体が光学式の記録媒体である場合には、データないし情報を情報記録媒体に直接的に記録する手段として光ピックアップが好適であるが、情報記録媒体が磁気式、光磁気式、誘電率の変化を利用したものなどの他の方式のものである場合には、その情報記録媒体の方式に適したピックアップ、ヘッド又はプローブ等を用いればよい。
【００５１】
本発明の記録装置に係る実施形態の一の態様では、前記ディフェクト管理情報作成手段は、前記ユーザデータエリアにおける代替記録、又は、前記スペアエリアにおける代替記録が完了したか否かを示す第１状態情報を更に含めて、前記ディフェクト管理情報を作成又は更新する。
【００５２】
この態様によれば、ディフェクト管理情報作成手段は、第１状態情報を、退避元アドレス（代替元アドレス）と退避先アドレス（代替先アドレス）との組に対応させて含むようにディフェクト管理情報を作成する。従って、後述される記録再生装置によって、単一のディフェクト管理情報を表現するために必要なフォーマットを統一することが可能となり、例えば、第１状態情報をキーとしたソートの実行が可能である。
【００５３】
本発明の記録装置に係る実施形態の他の態様では、前記ディフェクト管理情報作成手段は、前記第１情報に対応した前記退避元アドレスにおける第１場所、又は、前記第２情報に対応した前記代替元アドレスにおける第２場所の記録状態を示す第２状態情報を更に含めて、前記ディフェクト管理情報を作成又は更新する。
【００５４】
この態様によれば、ディフェクト管理情報作成手段は、第２状態情報を、退避元アドレス（代替元アドレス）と退避先アドレス（代替先アドレス）との組に対応させて含むようにディフェクト管理情報を作成する。よって、後述される記録再生装置によって、この第２状態情報をディフェクトリストから読み取ることによって、所望のセクタ番号等のアドレスに直接アクセスすることが可能となり、所望のファイル等の記録データへのアクセス時間を短縮することが可能となる。
【００５５】
本発明の記録装置に係る実施形態の他の態様では、前記ディフェクト管理情報作成手段によるディフェクト管理情報の作成又は更新が行われた場合に、前記作成又は更新されたディフェクト管理情報を前記ディフェクト管理エリアに記録するように前記記録手段を制御する第１記録制御手段を更に備えている。
【００５６】
この態様によれば、記録時においてユーザデータエリアに存在するディフェクトをディフェクト管理情報に反映することが可能となる。より具体的には、例えば、記録データのユーザデータエリアへの記録処理を行うとき、記録データを所定のブロックごとに記録し、１ブロックを記録する度にベリファイを行う。「ベリファイ」とは、記録したデータに誤りがないか否かをチェックする誤り検出動作等を示すものである。ディフェクト管理情報作成手段は、例えばこのベリファイの結果を利用して、ディフェクト管理情報を作成又は更新することが好ましい。そして、当該ディフェクト管理情報を例えば記憶手段に記憶させるように構成してもよい。このように記録データの記録時にディフェクト管理情報を作成又は更新することができ、記録時においてユーザデータエリアに存在するディフェクトをディフェクト管理情報に反映することができる。
【００５７】
ディフェクト管理情報作成手段によるディフェクト管理情報の作成又は更新が行われたときに、第１記録制御手段は、当該ディフェクト管理情報をディフェクト管理エリアに記録するように記録手段を制御する。第１記録制御手段がディフェクト管理情報をディフェクト管理エリアに記録するように記録手段を制御するタイミングは、ディフェクト管理情報作成手段によりディフェクト管理情報の作成が行われている途中でも、ディフェクト管理情報の作成が完了した直後でも、更にはディフェクト管理情報の作成が完了してからしばらく時間が経過した後でもよい。
【００５８】
これにより、記録時においてユーザデータエリアに存在するディフェクトをディフェクト管理情報に反映することができ、このディフェクト管理情報をディフェクト管理エリアに記録し、これを保持することができる。
【００５９】
本発明の記録装置に係る実施形態の他の態様では、前記情報記録媒体の前記ディフェクト管理エリアから前記ディフェクト管理情報を読み取り、前記読み取られたディフェクト管理情報を前記記憶手段に記憶させるディフェクト管理情報取得手段を更に備え、前記ディフェクト管理情報作成手段は、前記記録手段により前記記録データを前記ユーザデータエリアに記録する場合に、前記ディフェクト管理情報取得手段により前記記憶手段に記憶されたディフェクト管理情報を更新し、前記第１記録制御手段は、当該ディフェクト管理情報の更新が行われた場合に、前記ディフェクト管理情報を前記ディフェクト管理エリアに記録するように前記記録手段を制御する。
【００６０】
この態様によれば、ユーザデータエリア上に形成された新たなディフェクトを、既にディフェクト管理エリア中に記録されているディフェクト管理情報に反映することが可能となる。
【００６１】
より具体的には、例えば本実施形態に係る記録装置に装着した、例えば、追記型の情報記録媒体のディフェクト管理エリアにディフェクト管理情報が既に記録されているときには、ディフェクト管理情報取得手段は、そのディフェクト管理情報をディフェクト管理エリアから読み取る。そして、当該ディフェクト管理情報を例えば記憶手段に記録させる。そして、ディフェクト管理情報作成手段は、記録手段により記録データをユーザデータエリアに記録するときにディフェクト管理情報取得手段により記憶手段に記憶されたディフェクト管理情報を更新する。そして、第１記録制御手段は、当該ディフェクト管理情報の更新が行われたときに、当該ディフェクト管理情報をディフェクト管理エリアに記録するように前記記録手段を制御する。
【００６２】
これにより、過去にディフェクト管理エリアに記録保持されたディフェクト管理情報に基づいて、これを更新し、更新したディフェクト管理情報をディフェクト管理エリアに記録し、これを保持することができる。これにより、ユーザデータエリア上に形成された新たなディフェクトをディフェクト管理情報に反映し、これを、例えば、追記型の情報記録媒体のディフェクト管理エリアに保持することができる。
【００６３】
尚、本実施形態に係る情報記録媒体をイニシャライズ又はフォーマットするとき、ディフェクト管理情報作成手段は、記録データが未記録の状態である情報記録媒体について、ディフェクト管理情報を作成するように構成してもよい。そしてこの場合、第１記録制御手段は、ディフェクト管理情報作成手段によるディフェクト管理情報の作成が行われたときに、当該ディフェクト管理情報をディフェクト管理エリアに記録するように記録手段を制御可能に構成されていることが好ましい。
【００６４】
これにより、例えば、追記型の情報記録媒体のイニシャライズ又はフォーマット時に作成されたディフェクト管理情報をディフェクト管理エリアに記録し、これを保持することができる。尚、「イニシャライズ又はフォーマット」とは、例えば、追記型の情報記録媒体に対して行う初期動作（例えば、初期エラーチェックやデータ全消去等）を示す。
【００６５】
加えて、上述のディフェクト管理情報作成手段は、ユーザデータエリアのディフェクトを検出するディフェクト検出手段と、ユーザデータエリアのディフェクトに対応する代替記録領域を確保する代替記録領域確保手段とを備えるように構成してもよい。
【００６６】
本発明の記録装置に係る実施形態の他の態様では、前記情報記録媒体は、前記ユーザデータエリアのディフェクト管理情報を記録するための確定的ディフェクト管理エリアを含み、前記ユーザデータエリアへの記録及び読取のうち少なくとも一方を制御する情報を記録するための制御情報記録エリアを更に備えており、前記情報記録媒体に対しファイナライズを行うべき旨の命令を発するファイナライズ命令手段と、前記ファイナライズ命令手段によりファイナライズを行うべき旨の命令が発せられた場合に、前記作成又は更新されたディフェクト管理情報を前記確定的ディフェクト管理エリアに記録するように前記記録手段を制御する第２記録制御手段とを更に備えている。
【００６７】
この態様によれば、ファイナライズのときに、ディフェクト管理情報を確定的ディフェクト管理エリアに記録することで、例えば追記型の情報記録媒体と、例えば書換型の情報記録媒体との互換性が図ることが可能となる。ここに、本発明に係る「ファイナライズ」とは、情報記録媒体上に記録されたデータのアドレス情報や制御情報等を整理し、汎用性のある情報記録媒体に仕上げる動作全般を含んだ趣旨である。例えば、情報記録媒体をファイナライズすることで、例えば追記型の情報記録媒体を、再生専用の再生装置や他の情報記録媒体に対応した各種再生装置において再生することが可能となる。
【００６８】
より具体的には、ユーザが、例えば、追記型の情報記録媒体に記録された記録データを、例えば、書換型の情報記録媒体用の再生装置又は再生専用型の情報記録媒体用の再生装置で再生することを望むときには、ユーザは本実施形態に係る記録装置に対してファイナライズを実行すべき旨の指示を入力する。これに応じて、ファイナライズ命令手段は、現在、記録装置に装着されている情報記録媒体に対してファイナライズを行うべき旨の命令を発する。また、ユーザデータエリアが記録データで充たされ、これ以上記録データを記録することが好ましくないと記録装置が判断したときには、当該記録装置が自動的にファイナライズを行う構成としてもよい。このような構成を採用した場合には、ファイナライズ命令手段は、記録装置の係る判断に応じて、情報記録媒体に対してファイナライズを行うべき旨の命令を発する。
【００６９】
そして、第２記録制御手段は、ファイナライズ命令手段によりファイナライズを行うべき旨の命令が発せられたときに、記憶手段に記憶されたディフェクト管理情報を確定的ディフェクト管理エリアに記録するように記録手段を制御する。そして、記録手段は、記憶手段に記録されたディフェクト管理情報を、例えば、追記型の情報記録媒体の確定的ディフェクト管理エリアに記録する。この結果、例えば、追記型の情報記録媒体がファイナライズされた後の、例えば、追記型の情報記録媒体の確定的ディフェクト管理エリアには、ディフェクト管理情報が記録されることとなる。
【００７０】
これにより、例えば、追記型の情報記録媒体と、例えば、書換型の情報記録媒体との互換性を図ることができる。ファイナライズは、ユーザが記録データの記録が完了したと思ったときに行われる場合が多いので、ファイナライズの機会を利用して、ディフェクト管理情報を確定的ディフェクト管理エリアに記録することにより、ユーザの意思に合致したタイミングで、例えば、追記型の情報記録媒体と、例えば、書換型の情報記録媒体等との互換性を確立させることができる。
【００７１】
尚、ファイナライズ命令手段は、イジェクト命令に応じてファイナライズを行うべき旨の命令を発するように構成してもよい。これによっても、ユーザの意思に合致したタイミングで、追記型の情報記録媒体と書換型の情報記録媒体との互換性を確立させることができる。
【００７２】
又、記録手段は、ディフェクト管理情報を確定的ディフェクト管理エリアに複数回反復して記録するように構成してもよい。加えて、記録手段は、ディフェクト管理情報を、例えば、追記型の情報記録媒体上の複数箇所に存在する複数の確定的ディフェクト管理エリアに、夫々重複的に記録するように構成してもよい。
【００７３】
本発明の記録方法に係る実施形態は、（ｉ）記録データを記録するためのユーザデータエリアと、（ｉｉ）該ユーザデータエリアにおけるディフェクト管理に伴い、前記ユーザデータエリアの一部を代替するためのスペアエリアと、（ｉｉｉ）前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備えた情報記録媒体に前記記録データを記録可能な記録手段を備えた記録装置における記録方法であって、前記ディフェクト管理情報を作成又は更新するディフェクト管理情報作成工程と、前記記録データ、及び前記作成又は更新されたディフェクト管理情報のうち少なくとも一つを記録するように記録手段を制御する制御工程とを備える。
【００７４】
本発明の記録方法に係る実施形態によれば、上述した本発明の記録装置と同様に、本発明の情報記録媒体に係る実施形態（但し、その各種態様を含む）に対して、適切に記録データを記録することが可能となる。
【００７５】
尚、上述した本発明の記録装置（或いは、情報記録媒体）に係る実施形態の各種態様に対応して、本発明の記録方法に係る実施形態も各種態様を採ることが可能である。
【００７６】
（再生装置及び方法の実施形態）
本発明の再生装置に係る実施形態は、上述した本発明の情報記録媒体（但し、その各種態様を含む）に記録された前記記録データを再生するための再生装置であって、記憶手段と、前記ディフェクト管理エリアに記録された前記ディフェクト管理情報を読み取り、該読み取られたディフェクト管理情報を前記記憶手段に記憶させる読取手段と、前記記憶手段にて記憶されたディフェクト管理情報に基づいて、前記ユーザデータエリアに記録された記録データ又は前記スペアエリアに記録された記録データを再生する再生手段とを備えている。
【００７７】
本発明の再生装置に係る実施形態によれば、例えば光ピックアップやそれを制御するためのコントローラ等を含んでなる読取手段と、画像データをディスプレイに表示することが可能な画像信号に変換するデコーダ等を含んでなる再生手段とを用いて、上述した本発明の情報記録媒体に係る実施形態に記録されている記録データを適切に再生することが可能となる。
【００７８】
具体的には、先ず読取手段は、ディフェクト管理エリアに記録されたディフェクト管理情報を読み取る。そして、当該ディフェクト管理情報を例えばメモリ等の記憶手段に記憶させるように構成してもよい。記録時において、記録データは、ディフェクト管理による代替記録動作によって、情報記録媒体のユーザデータエリアに記録されている。このため、このようにして記録された記録データを再生するためには、代替先アドレスを把握する必要がある。そこで、再生手段は、記憶手段に記憶されたディフェクト管理情報に基づいて、ユーザデータエリアに存在する代替元アドレスを把握し、かつ、代替元アドレスを避けるようにして記録データの記録された代替先アドレスを認識してユーザデータエリアに記録された記録データ、或いはスペアエリアに記録された記録データを再生する。
【００７９】
以上の結果、本発明の再生装置に係る実施形態によれば、上述した本発明の情報記録媒体に係る実施形態を適切に再生することが可能となる。
【００８０】
尚、上述した本発明の情報記録媒体に係る実施形態の各種態様に対応して、本発明の再生装置に係る実施形態も各種態様を採ることが可能である。
【００８１】
本発明の再生方法に係る実施形態は、上述した本発明の情報記録媒体に係る実施形態（但し、その各種態様を含む）に記録された前記記録データを再生するための再生装置における再生方法であって、前記ディフェクト管理エリアに記録された前記ディフェクト管理情報を読み取る読取工程と、前記読み取られたディフェクト管理情報に基づいて、前記ユーザデータエリアに記録された記録データ又は前記スペアエリアに記録された記録データを再生する再生工程とを備えている。
【００８２】
本発明の再生方法に係る実施形態によれば、上述した本発明の再生装置と同様に、本発明の情報記録媒体に係る実施形態（但し、その各種態様を含む）を適切に再生することが可能となる。
【００８３】
尚、上述した本発明の再生装置に係る実施形態の各種態様に対応して、本発明の再生方法に係る実施形態も各種態様を採ることが可能である。
【００８４】
（コンピュータプログラムの実施形態）
本発明の記録制御用のコンピュータプログラムは、上述した本発明の記録装置に係る実施形態（但し、その各種態様を含む）に備えられたコンピュータを制御する記録制御用のコンピュータプログラムであって、該コンピュータを、前記ディフェクト管理情報作成手段及び記録手段のうち少なくとも一部として機能させる。
【００８５】
本発明の記録制御用のコンピュータプログラムに係る実施形態によれば、当該コンピュータプログラムを格納するＲＯＭ、ＣＤ−ＲＯＭ、ＤＶＤ−ＲＯＭ、ハードディスク等の情報記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録装置に係る実施形態を比較的簡単に実現できる。
【００８６】
尚、上述した本発明の情報記録媒体に係る実施形態における各種態様に対応して、本発明の記録制御用のコンピュータプログラムに係る実施形態も各種態様を採ることが可能である。
【００８７】
本発明の再生制御用のコンピュータプログラムは、上述した本発明の再生装置に係る実施形態（但し、その各種態様を含む）に備えられたコンピュータを制御する再生制御用のコンピュータプログラムであって、該コンピュータを、前記読取手段及び前記再生手段のうち少なくとも一部として機能させる。
【００８８】
本発明の再生制御用のコンピュータプログラムに係る実施形態によれば、当該コンピュータプログラムを格納するＲＯＭ、ＣＤ−ＲＯＭ、ＤＶＤ−ＲＯＭ、ハードディスク等の情報記録媒体から、当該コンピュータプログラムをコンピュータに読み込んで実行させれば、或いは、当該コンピュータプログラムを、通信手段を介してコンピュータにダウンロードさせた後に実行させれば、上述した本発明の再生装置に係る実施形態を比較的簡単に実現できる。
【００８９】
尚、上述した本発明の情報記録媒体に係る実施形態における各種態様に対応して、本発明の再生制御用のコンピュータプログラムに係る実施形態も各種態様を採ることが可能である。
【００９０】
（制御信号を含むデータ構造に係る実施形態）
本発明の制御信号を含むデータ構造に係る実施形態は、記録データを記録するためのユーザデータエリアと、該ユーザデータエリアにおけるディフェクト管理に伴い、前記ユーザデータエリアの一部を代替するためのスペアエリアと、前記ディフェクト管理による前記ユーザデータエリアにおける代替記録に伴い、前記ユーザデータエリアにおける退避元アドレスと前記スペアエリアにおける退避先アドレスとの対応関係を示す第１情報と、前記ディフェクト管理による前記スペアエリアにおける代替記録に伴い、前記スペアエリアにおける代替元アドレスと前記スペアエリアにおける代替先アドレスとの対応関係を示す第２情報とを含んでなるディフェクト管理情報を記録するためのディフェクト管理エリアとを備える。
【００９１】
本発明の制御信号を含むデータ構造に係る実施形態によれば、上述した本発明の情報記録媒体に係る実施形態の場合と同様の構成をしているので、例えば、ＲＭＷ処理時において、所望のＥＣＣブロックのアドレスにディフェクトが存在し、記録データの読み取りができなかった場合でも、ディフェクト管理情報を参照して、代替記録の履歴を、時間を遡って取得することができるので、ディフェクト管理（スペアエリアにおける代替記録）によって退避元アドレス（代替元アドレス）の場所に記録された記録データを再度再生することが可能となる。
【００９２】
尚、上述した本発明の情報記録媒体に係る実施形態における各種態様に対応して、本発明の制御信号を含むデータ構造に係る実施形態も各種態様を採ることが可能である。
【００９３】
本実施形態のこのような作用及び他の利得は次に説明する実施例から明らかにされる。
【００９４】
以上説明したように、本発明の情報記録媒体に係る実施形態によれば、ユーザデータエリアと、スペアエリアと、第１情報又は第２情報を含んだディフェクト管理情報が記録されたディフェクト管理エリアとを備える。例えば、ＲＭＷ処理時において、所望のＥＣＣブロックのアドレスにディフェクトが存在し、記録データの読み取りができなかった場合でも、ディフェクト管理情報を参照して、代替記録の履歴を、時間を遡って取得することができるので、ディフェクト管理（スペアエリアにおける代替記録）によって退避元アドレス（代替元アドレス）の場所に記録された記録データを再度再生することが可能となる。
【００９５】
又、本発明の記録装置及び方法に係る実施形態によれば、ディフェクト管理情報手段及び記録手段、又はディフェクト管理情報作成工程及び制御工程を備えている。従って、本発明に係る情報記録媒体に適切に記録データを記録できる。又、本発明の再生装置及び方法に係る実施形態によれば、読取手段及び再生手段を備えている。従って、本発明の情報記録媒体から適切に記録データを読取、且つ再生することが可能となる。
【実施例】
【００９６】
以下、本発明の実施例を図面に基づいて説明する。以下の実施例は、本発明の情報記録媒体を光ディスクに適用し、本発明の記録装置及び再生装置をこの光ディスク用の記録再生装置に適用した例である。
【００９７】
（情報記録媒体の第１実施例）
次に、図1から図６を参照して、本発明の情報記録媒体の第１実施例について詳細に説明する。
【００９８】
まず、本発明の第１実施例の光ディスクの記録構造並びにその光ディスクに記録された情報及びデータについて説明する。図１は本発明の第１実施例である光ディスクの記録構造を示している。尚、図１中の左側が光ディスク１００の内周側であり、図１中の右側が光ディスク１００の外周側である。
【００９９】
図１に示すように、光ディスク１００の記録面上には、その内周側にリードインエリア１０１が存在し、リードインエリア１０１の外周側にデータゾーン１０２が存在し、データゾーン１０２の外周側にリードアウトエリア１０３が存在する。データゾーン１０２においては、ディスク内周側に一時的ディフェクト管理エリア１０４が配置され、ディスク外周側に一時的ディフェクト管理エリア１０５が配置されている。尚、係る一時的ディフェクト管理エリアは、情報記録媒体上に一つ備えるようにしてもよいし、２つ或いは３つ以上の複数の一時的ディフェクト管理エリアを備えるように構成してもよい。
【０１００】
リードインエリア１０１及びリードアウトエリア１０３には、夫々、光ディスク１００への情報ないしデータの記録又は読取を制御及び管理するための制御情報及び管理情報等が記録される。リードインエリア１０１内には、確定的ディフェクト管理エリア１０６が設けられている。リードアウトエリア１０３内にも、確定的ディフェクト管理エリア１０７が設けられている。確定的ディフェクト管理エリア１０６及び１０７には、夫々、ディフェクト管理情報１２０（図２参照）が記録される。
【０１０１】
また、データゾーン１０２には、画像データ、音声データ、コンテンツデータなどといった記録データが記録される。データゾーン１０２の中央には、ユーザデータエリア１０８が設けられ、ユーザデータエリア１０８と一時的ディフェクト管理エリア１０４の間にスペアエリア１０９が設けられ、ユーザデータエリア１０８と一次的ディフェクト管理エリア１０５の間にはスペアエリア１１０が設けられている。なお、スペアエリア１１０を設けなくても良い。この場合、一時的ディフェクト管理エリア１０５も設けられない。ユーザデータエリア１０８は記録データを記録するための主たる領域である。スペアエリア１０９及び１１０は、ユーザデータエリア１０８内のディフェクトから記録データを退避させるための代替記録領域である。即ち、ユーザデータエリア１０８にディフェクトが存在するときに、そのディフェクトが存在する場所に記録すべきであった記録データ又はその場所に記録されていた記録データ、言い換えると、退避データは、スペアエリア１０９又は１１０に代替的に記録される。尚、記録データと前述した制御情報とはそれらの内容に応じて常に明確に区別できるものではない。しかしながら、制御情報は主としてドライブ装置の動作制御に直接的に用いられる情報であるのに対し、記録データはドライブ装置では主として単なる記録・読取の対象となるだけのデータであり、主としてバックエンドないしホストコンピュータのデータ再生処理ないしプログラム実行処理において用いられるデータである。
【０１０２】
一時的ディフェクト管理エリア１０４及び１０５には、夫々、ディフェクト管理情報１２０が一時的に記録される。尚、確定的ディフェクト管理エリア１０６及び１０７にもディフェクト管理情報１２０が記録されるが、確定的ディフェクト管理エリア１０６及び１０７と一時的ディフェクト管理エリア１０４及び１０５との相違については、後述する。
【０１０３】
次に、図２を参照して、ディフェクト管理情報１２０について説明する。ディフェクト管理情報１２０は、記録再生装置２００（図８参照）により行われるディフェクト管理に用いられる情報である。記録再生装置２００は、光ディスク１００に記録データを記録するとき、又は光ディスク１００から記録データを再生するときにディフェクト管理に加えて又は代えてロジカルオーバーライトを行う。本実施例においてディフェクト管理とは、主に、光ディスク１００のユーザデータエリア１０８上に傷、塵埃又は劣化等のディフェクトが存在するときに、そのディフェクトが存在する場所を避けて記録データを記録すると共に、退避データをスペアエリア１０９又は１１０に記録するといったものである。また、ユーザデータエリア１０８に記録された記録データを再生するときに、ディフェクトの存在する位置を認識し、ディフェクトの存在する位置に本来記録されるべきであった又は記録されていた記録データを、スペアエリア１０９又は１１０から読み取るといった処理もディフェクト管理の一環として行われる。このようなディフェクト管理を行うためには、記録再生装置２００がユーザデータエリア１０８内におけるディフェクトの存在位置等を認識する必要がある。ディフェクト管理情報１２０は、主として記録再生装置２００がディフェクトの存在位置等を認識するために用いられる。
【０１０４】
図２はディフェクト管理情報１２０の内容を示している。図２に示すように、ディフェクト管理情報１２０には、設定情報１２１及びディフェクトリスト（ＤＦＬ：DeFect List）１２２が含まれている。
【０１０５】
設定情報１２１には、図２に示すように、ユーザデータエリア１０８の開始アドレス、ユーザデータエリア１０８の終了アドレス、内周側のスペアエリア１０９の開始アドレス、外周側のスペアエリア１１０の開始アドレス、その他の情報（例えば、これらのエリアのサイズ、その他ディスクの情報等）が含まれている。なお、設定情報とディフェクトリストの構造の順序は逆であってもよい。
【０１０６】
図３はディフェクトリスト１２２の内容を示している。図３に示すように、ディフェクトリスト１２２には、ユーザデータエリア１０８内におけるディフェクトが存在する位置を示すアドレス（以下、これを「ディフェクトアドレス」と呼ぶ。）と、退避データのスペアエリア１０９又は１１０内における記録位置を示すアドレス（以下、これを「代替記録アドレス」と呼ぶ。）と、その他の情報とが記録されている。即ち、ディフェクトアドレスは、本発明に係る「退避元アドレス」に加えて又は代えて、本発明に係る「代替元アドレス」の一例を示すものであり、代替記録アドレスは、本発明に係る「退避先アドレス」に加えて又は代えて、本発明に係る「代替先アドレス」の一例を示すものである。ユーザデータエリア１０８内に複数のディフェクトが存在するときには、それらのディフェクトに対応した複数のディフェクトアドレスと複数の代替記録アドレスがディフェクトリスト１２２内に記録される。
【０１０７】
特に、本実施例では、その他の情報として、一つのディフェクトアドレスと一つの代替記録アドレスとの組（以下、適宜「ディフェクトリストエントリー」と称する）に対応させて、代替記録が完了したか否かを示す第１及び第２状態情報が追加されている。尚、この第１及び第２状態情報の詳細については、後述される。
【０１０８】
尚、ディフェクト管理は、光ディスク１００のユーザデータエリア１０８についてだけでなく、光ディスク１００の記録面全体について行うことも可能である。
【０１０９】
また、ディフェクトリストは記録媒体の特定の領域に記録される。例えばブルーレーザを用いた書換可能（リライタブル）な光ディスクでは、ディフェクトリストは、ディスク上のリードインエリア又はリードアウトエリアに確保された所定の領域（以下、これらを夫々「ディフェクト管理エリア」と呼ぶ。）内に記録される。そして、本来ディフェクトの存在する場所に記録されるべき記録データも、記録媒体の特定の領域に記録される。
【０１１０】
上述したように、ディフェクトリストは、記録データの追記・書換が行われる度に更新される。そして、ディフェクトリストは、記録データの追記・書換により更新される度に、当該追記・書換の対象となっている記録媒体のディフェクト管理エリアに適切なタイミングで追記・書換される。加えて、本来ディフェクトの存在する場所に記録されるべき記録データも、記録媒体の特定の領域に追記・書換がなされる。より具体的には、例えばライトワンス型光ディスク等の追記型の情報記録媒体である場合には、例えば、ディフェクトリストが更新される度に、その更新されたディフェクトリストが、情報記録媒体の未記録の新たな領域に適切なタイミングで追記される。
【０１１１】
次に、図４を参照して、ディフェクト管理情報１２０の記録の態様について説明する。光ディスク１００の一時的ディフェクト管理エリア１０４及び１０５と、確定的ディフェクト管理エリア１０６及び１０７は、いずれも、ディフェクト管理情報１２０を記録するための領域であるが、一時的ディフェクト管理エリア１０４及び１０５と、確定的ディフェクト管理エリア１０６及び１０７は、配置されている位置が異なり、夫々のサイズが異なり、利用目的も異なる。以下、具体的に両者の違いを説明する。
【０１１２】
図４は一時的ディフェクト管理エリア１０４又は１０５にディフェクト管理情報１２０が記録された状態の一例を示している。一時的ディフェクト管理エリア１０４及び１０５は、光ディスク１００がファイナライズされるまでの間に、ディフェクト管理情報１２０を一時的に記録するための領域である。ディフェクト管理情報１２０は、ディフェクト管理に必要な情報であり、ディフェクトの存否・位置は個々の光ディスクごとに異なるため、ディフェクト管理情報は個々の光ディスク上に記録して保持しておく必要がある。本実施例では、ファイナライズ前の段階では、ディフェクト管理情報１２０は光ディスク１００の一時的ディフェクト管理エリア１０４又は１０５に記録され、保持される。
【０１１３】
更に、本実施例では、図４に示すように、ディフェクト管理情報１２０は、一時的ディフェクト管理エリア１０４又は１０５に２回反復的に記録されることが好ましい（尚、図４はディフェクト管理情報１２０の反復的記録が２度行われた状態を示しているため、合計４個のディフェクト管理情報１２０が描かれている）。これにより、ディフェクト管理情報１２０を確実に記録でき、確実に再生することができる。但し、２回記録されなくとも、例えば１回の記録或いは３回以上の記録であっても、ディフェクト管理情報１２０や退避データを適切に記録し、再生することが可能である。
【０１１４】
光ディスク１００がファイナライズされるまでの間、ディフェクト管理情報１２０が数度更新される場合がある。例えば、１度目の記録と２度目の記録（例えば、追記）との間に、光ディスク１００に汚れが付着したような場合には、２度目の記録時にそのディフェクト（汚れ）が検出され、これに基づいてディフェクトリスト１２２が更新される。ディフェクトリスト１２２が更新されると、その更新されたディフェクトリスト１２２を含むディフェクト管理情報１２０が一時的ディフェクト管理エリア１０４又は１０５に追記される。光ディスク１００は、例えば、追記型の記録媒体であるため、更新されたディフェクト管理情報１２０を既存のディフェクト管理情報１２０の上に重ねて記録することはできない。そのため、図４に示すように、更新されたディフェクト管理情報１２０は、既存のディフェクト管理情報１２０の後に連続的に記録される。
【０１１５】
このようなディフェクト管理情報１２０の反復的かつ並列的な記録を実現するために、一時的ディフェクト管理エリア１０４及び１０５は、確定的ディフェクト管理エリア１０６及び１０７よりも広い。
【０１１６】
一方、図５は確定的ディフェクト管理エリア１０６又は１０７内にディフェクト管理情報１２０が記録された状態の一例を示している。確定的ディフェクト管理エリア１０６及び１０７は、光ディスク１００がファイナライズされるときに、ディフェクト管理情報１２０を確定的に記録するための領域である。即ち、ファイナライズ前の段階では、確定的ディフェクト管理エリア１０６及び１０７は未記録状態である。ファイナライズされると、確定的ディフェクト管理エリア１０６及び１０７にディフェクト管理情報１２０が記録され、それ以降、その記録状態が継続する。
【０１１７】
本実施例では、図５に示すように、ディフェクト管理情報１２０は、確定的ディフェクト管理エリア１０６又は１０７に２回反復的に記録されることが好ましい。これにより、ディフェクト管理情報１２０を確実に記録でき、確実に再生することができる。但し、２回記録されなくとも、例えば１回の記録或いは３回以上の記録であっても、ディフェクト管理情報１２０を適切に記録し、再生することが可能である。
【０１１８】
本実施例の光ディスク１００によれば、一時的ディフェクト管理エリア１０４をリードインエリア１０１とデータゾーン１０２との間に配置し、一時的ディフェクト管理エリア１０５をデータゾーン１０２とリードアウトエリア１０３との間に配置したから、追記型光ディスク１００と一般の書換型光ディスクとの間で互換性をとることができる。なぜなら、一般の書換型光ディスクとの互換性を実現するためには、リードインエリア、データゾーン及びリードアウトエリアが存在すること、これらの領域の順序、配置、サイズ（広さ）等の基本的記録構造を維持する必要があるが、光ディスク１００では一時的ディフェクト管理エリア１０４及び１０５を設けたにもかかわらず、かかる基本的記録構造を維持しているからである。即ち、仮に一時的ディフェクト管理エリア１０４をリードインエリア１０１内に配置するとすれば、上述したように一時的ディフェクト管理エリア１０４は比較的広いので、リードインエリア１０１のサイズを拡張せざるを得なくなるという不都合が生じる。しかし、本実施例では、一時的ディフェクト管理エリア１０４をリードインエリア１０１の外に配置したので、かかる不都合は生じない。また、仮に一時的ディフェクト管理エリア１０４をデータゾーン１０２内に設けるとすれば、制御情報の性質を有するディフェクト管理情報１２０が、記録データを記録すべき領域であるデータゾーン１０２に入り込み、制御情報と記録データという性質の異なる情報がデータゾーン１０２内に混在するといった不都合が生じる。本実施例では、一時的ディフェクト管理エリア１０４をデータゾーン１０２の外に配置したので、かかる不都合は生じない。一時的ディフェクト管理エリア１０５についても同様である。
【０１１９】
尚、ユーザデータエリア１０８の開始アドレス及び終了アドレス、スペアエリア１０９の開始アドレス並びに１１０の開始アドレス（或いは、ユーザデータエリア１０８やスペアエリア１０９及び１１０のサイズ等）は、ディフェクト管理情報１２０の設定情報１２１に含まれている（図２参照）。そして、この設定情報１２１は、記録再生装置２００により設定することができる。即ち、ユーザデータエリア１０８の開始アドレス及び終了アドレス、スペアエリア１０９のサイズ並びに１１０のサイズは、これを設定情報１２１として明示しておけば、変更することが許容されており、変更しても、一般の書換型記録媒体との互換性を維持することができる。従って、ユーザデータエリア１０８の開始アドレスを後ろ（外周側）にずらせば、リードインエリア１０１とデータゾーン１０２との間にスペースを確保することができ、そのスペースに一時的ディフェクト管理エリア１０４を配置することができる。更に、ユーザデータエリア１０８の開始アドレスの設定の仕方によっては、比較的広い（大きなサイズの）一時的ディフェクト管理エリア１０４を確保することができる。一時的ディフェクト管理エリア１０５についても同様である。
【０１２０】
また、本実施例の光ディスク１００によれば、リードインエリア１０１内及びリードアウトエリア１０３内に夫々確定的ディフェクト管理エリア１０６及び１０７を配置したから、追記型光ディスク１００と一般の書換型光ディスクとの間で互換性をとることができる。即ち、一般の書換型光ディスクは、そのリードインエリア内及びリードアウトエリア内に夫々ディフェクト管理情報を記録すべき領域が配置されている。そして、光ディスク１００も、そのリードインエリア１０１内及びリードアウトエリア１０３内に確定的ディフェクト管理エリア１０６及び１０７が配置されている。かかる点において、両者の記録構造は一致している。従って、追記型光ディスク１００と一般の書換型光ディスクとの間で互換性をとることができる。
【０１２１】
次に、図６を参照して、本発明の情報記録媒体の第１実施例に係るディフェクト管理情報であるディフェクトリストについて説明する。ここに、図６は、本発明の情報記録媒体に係るディフェクト管理情報のディフェクトリストの一具体例であるデータ構造を概念的に示したテーブル図（図６（ａ））及びディフェクトリストの他の具体例であるデータ構造を概念的に示したテーブル図（図６（ｂ））である。
【０１２２】
図６（ａ）に示されるように、ディフェクトリストの一具体例においては、例えば、光ディスクの記録領域における絶対的位置情報を示した物理アドレスで表現された一つの「ディフェクトアドレス」と、同様に物理アドレスで表現された一つの「代替記録アドレス」と、「第１状態情報」との組、即ち、ディフェクトリストエントリー（ＤＬＥ１からＤＬＥ４）が、追加されていく。
【０１２３】
「ディフェクトアドレス」は、ディフェクト管理によるユーザデータエリア内の退避元アドレス、又は、スペアエリアにおける代替記録によるスペアエリア内の代替先アドレスを示す。
【０１２４】
「代替記録アドレス」は、ディフェクト管理によるスペアエリア内の退避先アドレス、又は、スペアエリアにおける代替記録によるスペアエリア内の代替元アドレスを示す。
【０１２５】
「第１状態情報」が「退避済み」である場合は、ディフェクト管理に基づくユーザデータエリア内の退避元アドレスとスペアエリア内の退避先アドレスとのディフェクトエントリーを示すようにしてもよい。他方、「第１状態情報」が「使用不可」である場合は、スペアエリアにおける代替記録に基づいてスペアエリア内の代替先アドレスとスペアエリア内の代替元アドレスとのディフェクトエントリーを示すようにしてもよい。
【０１２６】
従って、単一のディフェクトリストを表現するために必要なフォーマットを統一することが可能となり、例えば、「第１状態情報」をキーとしたソートの実行が可能である。より具体的には、スペアエリアにおける代替記録に基づくスペアエリア内の代替先アドレス又は代替元アドレスをキーとしたソートの実行が可能である。以上より、ディフェクトリストの更新、並べ替え及び作成等のハンドリングを容易にすることが可能となる。
【０１２７】
より具体的には、ディフェクトリストの下側から上側に向かって説明すると、ディフェクトリストエントリーＤＬＥ４は、ユーザデータエリア内の退避元アドレスＡと、スペアエリア内の退避先アドレス４と、「退避済み」であることを示す第１状態情報との組である。ディフェクトリストエントリーＤＬＥ３は、スペアエリア内の代替先アドレス４と、スペアエリア内の代替元アドレス３と、「使用不可」であることを示す第１状態情報との組である。ディフェクトリストエントリーＤＬＥ２は、スペアエリア内の代替先アドレス３と、スペアエリア内の代替元アドレス２と、「使用不可」であることを示す第１状態情報との組である。ディフェクトリストエントリーＤＬＥ１は、スペアエリア内の代替先アドレス２と、スペアエリア内の代替元アドレス１と、「使用不可」であることを示す第１状態情報との組である。
【０１２８】
図６（ｂ）に示されるように、ディフェクトリストの他の具体例においては、一具体例と同様にして、一つの「ディフェクトアドレス」と、一つの「代替記録アドレス」と、「第１状態情報」との組、即ち、ディフェクトリストエントリー（ＤＬＥ１からＤＬＥ４）が、追加されていく。
【０１２９】
「ディフェクトアドレス」は、ディフェクト管理によるユーザデータエリアの退避元アドレス、又は、スペアエリアにおける代替記録によるスペアエリアの代替元アドレスを示す。
【０１３０】
「代替記録アドレス」は、ディフェクト管理によるユーザデータエリアの退避先アドレス、又は、スペアエリアにおける代替記録によるスペアエリアの代替先アドレスを示す。
【０１３１】
「第１状態情報」は、一具体例と同様にして、ディフェクトエントリーが、「退避済み」であるのか、或いは、「使用不可」であるのかを示す。
【０１３２】
より具体的には、ディフェクトリストの下側から上側に向かって説明すると、ディフェクトリストエントリーＤＬＥ４は、一具体例と同様にして、ユーザデータエリア内の退避元アドレスＡと、スペアエリア内の退避先アドレス４と、「退避済み」であることを示す第１状態情報との組である。ディフェクトリストエントリーＤＬＥ３は、スペアエリア内の代替元アドレス３と、スペアエリア内の代替先アドレス４と、「使用不可」であることを示す第１状態情報との組である。ディフェクトリストエントリーＤＬＥ２は、スペアエリア内の代替元アドレス２と、スペアエリア内の代替先アドレス３と、「使用不可」であることを示す第１状態情報との組である。ディフェクトリストエントリーＤＬＥ１は、スペアエリア内の代替元アドレス１と、スペアエリア内の代替先アドレス２と、「使用不可」であることを示す第１状態情報との組である。
【０１３３】
尚、上述したディフェクトリストの一具体例及び他の具体例において、第１状態情報のデータ量は、例えば、１ビットにしてもよい。具体的には、第１状態情報が“０”であれば、当該ディフェクトリストエントリーは、「退避済み」であることを意味する。他方、第１状態情報が“１”であれば、当該ディフェクトリストエントリーは、「使用不可」であることを意味するようにしてもよい。
【０１３４】
また、上述したディフェクトリストの一具体例及び他の具体例において、ディフェクトアドレス及び代替記録アドレスは、絶対的位置情報を示した物理アドレスで表現されているが、相対的位置情報を示した例えば、オフセットアドレス等によって表現されていてもよい。このことによって、ディフェクトリストのデータ量の減少させることが可能となる。
【０１３５】
（情報記録再生装置の第１実施例）
次に、図７から図１７を参照して、本発明の情報記録再生装置の第１実施例の構成及び動作について詳細に説明する。
【０１３６】
先ず、図７から図９を参照して、本発明の実施例である記録再生装置の構成について説明する。図７は本発明の実施例である記録再生装置２００を示している。記録再生装置２００は、光ディスク１００に記録データを記録する機能と、光ディスク１００に記録された記録データを再生する機能とを備えている。
【０１３７】
記録再生装置２００は、ディスクドライブ３００と、バックエンド４００とを備えている。
【０１３８】
図８はディスクドライブ３００の内部構成を示している。ディスクドライブ３００は、光ディスク１００に情報を記録すると共に、光ディスク１００に記録された情報を読み取る装置である。
【０１３９】
ディスクドライブ３００は、図８に示すように、スピンドルモータ３５１、光ピックアップ３５２、ＲＦアンプ３５３及びサーボ回路３５４を備えている。
【０１４０】
スピンドルモータ３５１は光ディスク１００を回転させるモータである。
【０１４１】
光ピックアップ３５２は、光ディスク１００の記録面に対して光ビームを照射することによって記録データ等を記録面上に記録すると共に、光ビームの反射光を受け取ることによって記録面上に記録された記録データ等を読み取る装置である。光ピックアップ３５２は、光ビームの反射光に対応するＲＦ信号を出力する。
【０１４２】
ＲＦアンプ３５３は、光ピックアップ３５２から出力されたＲＦ信号を増幅して、そのＲＦ信号を変調復調部３５５に出力する。更に、ＲＦアンプ３５３は、ＲＦ信号から、ウォブル周波数信号ＷＦ、トラックエラー信号ＴＥ及びフォーカスエラー信号ＦＥを作り出し、これらを出力する。
【０１４３】
サーボ回路３５４は、トラックエラー信号ＴＥ、フォーカスエラー信号ＦＥその他のサーボ制御信号に基づいて光ピックアップ３５２及びスピンドルモータ３５１の駆動を制御するサーボ制御回路である。
【０１４４】
更に、ディスクドライブ３００は、図８に示すように、変調復調部３５５、バッファ３５６、インターフェース３５７及び光ビーム駆動部３５８を備えている。
【０１４５】
変調復調部３５５は、読取時において記録データに対してエラー訂正を行う機能と、記録時において記録データにエラー訂正符号を付加してこれを変調する機能とを備えた回路である。具体的には、変調復調部３５５は、読取時においては、ＲＦアンプ３５３から出力されるＲＦ信号を復調し、これに対してエラー訂正を行った後、これをバッファ３５６に出力する。更に、変調復調部３５５は、復調されたＲＦ信号に対してエラー訂正を行った結果、エラー訂正が不能であるときには、その旨を示すエラー訂正不能信号を生成し、これをディフェクト検出部３５９に出力する。また、変調復調部３５５は、記録時においては、バッファ３５６から出力される記録データにエラー訂正符号を付加した後、これを、光ディスク１００の光学的特性等に適合する符号となるように変調し、変調された記録データを光ビーム駆動部３５８に出力する。
【０１４６】
バッファ３５６は、記録データを一時的に蓄える記憶回路である。
【０１４７】
インターフェース３５７は、ディスクドライブ３００とバックエンド４００との間の記録データ等の入出力制御ないし通信制御を行う回路である。具体的には、インターフェース３５７は、再生時においては、バックエンド４００からの要求命令に応じて、バッファ３５６から出力される記録データ（即ち光ディスク１００から読み取られた記録データ）をバックエンド４００へ出力する。また、インターフェース３５７は、記録時においては、バックエンド４００からディスクドライブ３００に入力される記録データを受け取り、これをバッファ３５６に出力する。更に、インターフェース３５７は、バックエンド４００からの要求命令に応じて、ディフェクト管理情報作成部３６０に保持されているディフェクトリストの全部又は一部をバックエンド４００に出力する。
【０１４８】
光ビーム駆動部３５８は、記録時において、変調復調部３５５から出力された記録データに対応する光ビーム駆動信号を生成し、これを光ピックアップ３５２に出力する。光ピックアップ３５２は、光ビーム駆動信号に基づいて光ビームを変調し、光ディスク１００の記録面に照射する。これにより、記録データ等が記録面上に記録される。
【０１４９】
更に、ディスクドライブ３００は、図８に示すように、ディフェクト検出部３５９及びディフェクト管理情報作成部３６０を備えている。
【０１５０】
ディフェクト検出部３５９は、光ディスク１００のディフェクトを検出する回路である。そして、ディフェクト検出部３５９は、ディフェクトの存否を示すディフェクト検出信号を生成し、これを出力する。ディフェクト検出部３５９は、情報の読取時（ベリファイ時又は再生時）における記録データのエラー訂正の結果に基づいて、ディフェクト検出を行う。上述したように、変調復調部３５５は、復調されたＲＦ信号に対してエラー訂正を行った結果、エラー訂正が不能であるときには、その旨を実質的に示すエラー訂正不能信号を生成し、これをディフェクト検出部３５９に出力する。ディフェクト検出部３５９は、このエラー訂正不能信号を受け取ったときに、ディフェクトが存在していることを示すディフェクト検出信号を出力する。
【０１５１】
ディフェクト管理情報作成部３６０は、ディフェクト検出部３５９から出力されたディフェクト検出信号に基づいて、ディフェクト管理情報１２０を作成し、又は更新する回路である。ディフェクト管理情報１２０は、ディフェクト管理情報作成部３６０内に設けられた記憶回路に書換可能な状態で記憶される。更に、ディフェクト管理情報作成部３６０は、バックエンド４００からの要求命令に応じて、ディフェクト管理情報１２０をインタ−フェース３５７を介してバックエンド４００に出力する。
【０１５２】
更に、図８に示すように、ディスクドライブ３００はＣＰＵ３６１を有している。ＣＰＵ３６１は、ディスクドライブ３００の全体的な制御及び上述したディスクドライブ３００内の各要素間の情報のやり取りを制御する。更に、ＣＰＵ３６１は、記録データ及びディフェクト管理情報１２０の記録動作及び読取動作を制御する。更に、ＣＰＵ３６１は、バックエンド４００から送られる制御命令ないし要求命令に応じて、ディスクドライブ３００とバックエンド４００との間のデータのやり取りを制御する。
【０１５３】
次に、図９はバックエンド４００の内部構成を示している。バックエンド４００は、ディスクドライブ３００によって光ディスク１００から読み取られた記録データに対して再生処理を行うと共に、光ディスク１００に記録する目的で外部から供給された記録データを受け取り、これを圧縮（エンコード）してディスクドライブ３００に送り出す装置である。
【０１５４】
バックエンド４００は、ドライブ制御部４７１、ビデオデコーダ４７２、オーディオデコーダ４７３、ビデオエンコーダ４７４、オーディオエンコーダ４７５、システム制御部４７６及びディフェクト管理部４７７を備えている。
【０１５５】
ドライブ制御部４７１は、ディスクドライブ３００の読取処理及び記録処理を制御する回路である。記録データを光ディスク１００から読み取ってそれを再生する作業、及び記録データを外部から受け取ってそれを光ディスク１００に記録する作業は、バックエンド４００とディスクドライブ３００とが協働して行う。ドライブ制御部４７１は、ディスクドライブ３００の読取処理及び記録処理を制御することにより、バックエンド４００とディスクドライブ３００との協働を実現する。具体的には、ドライブ制御部４７１は、ディスクドライブ３００に対して、読取、記録、バッファ３５６から記録データの出力、ディフェクト管理情報作成部３６０からのディフェクト管理情報１２０の出力などに関する要求命令を出力する。更に、ドライブ制御部３７１は、記録データ及びディフェクト管理情報１２０その他各種情報の入力・出力を制御する入出力制御を行う。
【０１５６】
ビデオデコーダ４７２及びオーディオデコーダ４７３は、夫々、ディスクドライブ３００により光ディスク１００から読み取られ、ドライブ制御部４７１を介して供給された記録データを復調し、記録データをディスプレイ、スピーカなどにより再生可能な状態に変換する回路である。
【０１５７】
ビデオエンコーダ４７４及びオーディオエンコーダ４７５は、夫々、光ディスク１００に記録する目的で外部から入力された映像信号、音声信号等を受け取り、これを例えばＭＰＥＧ圧縮方式等により圧縮し、これを、ドライブ制御部４７１を介してディスクドライブ３００に供給する回路である。
【０１５８】
システム制御部４７６は、再生時には、ドライブ制御部４７１、ビデオデコーダ４７２、オーディオデコーダ４７３、ディフェクト管理部４７７を制御し、これらと協働して記録データの再生処理を行う回路である。また、記録時には、システム制御部４７６は、ドライブ制御部４７１、ビデオエンコーダ４７４、オーディオエンコーダ４７５、ディフェクト管理部４７７を制御し、これらと協働して記録データの記録処理を行う。また、システム制御部４７６は、再生時及び記録時において、ディスクドライブ３００とバックエンド４００との協働を実現するために、ドライブ制御４７１と共に、ディスクドライブ３００に対する制御（例えば各種要求命令の生成・送信、応答信号の受信など）を行う。
【０１５９】
ディフェクト管理部４７７は、その内部に記憶回路を有しており、ディスクドライブ３００のディフェクト管理情報作成部３６０により作成・更新されたディフェクト管理情報１２０の全部又は一部を受け取り、これを保持する機能を備えている。そして、ディフェクト管理部４７７はシステム制御部４７６と共に、ディフェクト管理を行う。
【０１６０】
（情報記録再生装置の初期設定動作）
次に、記録再生装置２００における初期設定動作について説明する。図１０は記録再生装置２００の初期設定動作を示している。記録再生装置２００は、光ディスク１００がドライブユニット３００に装着されてから、記録データの記録又は再生を行うまでの間に、初期設定を行う。初期設定は、記録データの記録又は再生の準備をするための処理であり、様々な処理を含んでいるが、以下、これらの処理のうち、光ディスク１００のイニシャライズ、ディフェクト管理情報１２０の作成、及びディフェクト管理情報１２０のバックエンドへの送出等について説明する。これらの処理は、主としてドライブユニット３００のＣＰＵ３６１の制御のもとに行われる。
【０１６１】
次に、記録再生装置２００における初期設定動作について説明する。図１０は記録再生装置２００の初期設定動作を示している。記録再生装置２００は、光ディスク１００がドライブユニット３００に装着されてから、記録データの記録又は再生を行うまでの間に、初期設定を行う。初期設定は、記録データの記録又は再生の準備をするための処理であり、様々な処理を含んでいるが、以下、これらの処理のうち、光ディスク１００のイニシャライズ、ディフェクト管理情報１２０の作成、及びディフェクト管理情報１２０のバックエンドへの送出等について説明する。これらの処理は、主としてドライブユニット３００のＣＰＵ３６１の制御のもとに行われる。
【０１６２】
図１０に示すように、光ディスク１００がドライブユニット３００に装着されると、ドライブユニット３００のＣＰＵ３６１は、光ディスク１００が未記録ディスク（ブランクディスク）であるか否かを判定する（ステップＳ１１）。
【０１６３】
光ディスク１００が未記録ディスクであるときには（ステップＳ１１：ＹＥＳ）、ＣＰＵ３６１は、光ディスク１００に対してイニシャライズ処理を行う（ステップＳ１２）。このイニシャライズ処理において、ディフェクト管理情報作成部３６０は、ディフェクト管理情報１２０を作成する（ステップＳ１３）。具体的には、イニシャライズ処理の中で設定されたユーザデータエリア１０８の開始アドレス及び終了アドレス並びにスペアエリア１０９及び１１０のサイズを取得し、設定情報１２１を作成する。更に、ディフェクトリスト１２２を作成する。尚、ここで作成されるディフェクトリスト１２２は、外枠のみであり、内実はない。即ち、ディフェクトアドレスは記録されておらず、具体的な代替記録アドレスも記録されていない。ただ、ヘッダ、識別情報などが記録されるのみである。作成されたディフェクト管理情報１２０はディフェクト管理情報作成部３６０内に記憶保持される。
【０１６４】
続いて、ＣＰＵ３６１は、ディフェクト管理情報作成部３６０内に記憶されたディフェクト管理情報１２０をバックエンド４００に送る（ステップＳ１４）。ディフェクト管理情報１２０はバックエンド４００のディフェクト管理部４７７に記憶される。
【０１６５】
続いて、ＣＰＵ３６１は、ディフェクト管理情報作成部３６０内に記憶されたディフェクト管理情報１２０を光ディスク１００の一時的ディフェクト管理エリア１０４又は１０５に反復的に２回記録する（ステップＳ１５）。
【０１６６】
一方、光ディスク１００が未記録ディスクでない場合には（ステップＳ１１：ＮＯ）、続いて、ＣＰＵ３６１は、光ディスク１００がファイナライズ済みか否かを判定する（ステップＳ１６）。ファイナライズとは、主に、光ディスク１００を一般の書換型光ディスク用の再生装置や、一般の再生専用型光ディスク用の再生装置によって再生できるように、記録フォーマットを整えるための処理である。光ディスク１００がファイナライズ済みか否かは、光ディスク１００のリードインエリア１０１等に記録された制御情報を参照することにより、知ることができる。
【０１６７】
光ディスク１００がファイナライズ済みでない場合には（ステップＳ１６：ＮＯ）、ＣＰＵ３６１は、ディフェクト管理情報１２０を光ディスク１００の一時的ディフェクト管理エリア１０４又は１０５から読み取る（ステップＳ１７）。即ち、光ディスク１００が未記録ディスクでない場合には、すでに過去に作成されたディフェクト管理情報１２０が一時的ディフェクト管理エリア１０４又は１０５に記録されているので、本ステップでは、これを読み取る。
【０１６８】
更に、一時的ディフェクト管理エリア１０４又は１０５内に複数のディフェクト管理情報１２０が記録されている場合には、ＣＰＵ３６１はその中から最新のディフェクト管理情報１２０を選択して、これを読み取る（ステップＳ１８）。即ち、ファイナライズ前の段階では、ディフェクト管理情報１２０は、それが更新される度に、一時的ディフェクト管理エリア１０４又は１０５に記録される。そして、それら複数のディフェクト管理情報１２０は、更新された順序で、連続的に配列されている。従って、一時的ディフェクト管理エリア１０４又は１０５の中で、最後に配置されているディフェクト管理情報が最新のディフェクト管理情報である。そこで、ＣＰＵ３６１は最後に配置されているディフェクト管理情報を選択し、これを読み取る。
【０１６９】
本実施例では、最後に配置されているディフェクト管理情報１２０を特定するために、次のような方法を採用している。即ち、一時的ディフェクト管理エリア１０４又は１０５に複数のディフェクト管理情報１２０が連続的に並んで記録されている場合、一時的ディフェクト管理エリア１０４又は１０５の開始アドレスから、最後のディフェクト管理情報１２０が記録された領域の終端アドレスまでは情報が記録され、それ以降は未記録である。そこで、ＣＰＵ３６１は、光ピックアップ３５２を制御して、一時的ディフェクト管理エリア１０４又は１０５内をその開始アドレスからスキャンし、未記録状態となった位置を検出し、その位置から一時的ディフェクト管理エリア１０４又は１０５内を逆方向にスキャンする。このようにして、最後のディフェクト管理情報１２０を特定する。このような方法によれば、最後のディフェクト管理情報１２０を、ポインタ等を用いずに簡単に特定することができる。
【０１７０】
続いて、ＣＰＵ３６１は、読み取った最後のディフェクト管理情報１２０をディフェクト管理情報作成部３６０に記憶し、かつ、これをバックエンド４００に送る（ステップＳ１９）。最後のディフェクト管理情報１２０は、バックエンド４００のディフェクト管理部４７７に記憶される。
【０１７１】
一方、光ディスク１００が未記録ディスクでなく、かつファイナライズ済みである場合には（ステップＳ１６：ＹＥＳ）、ＣＰＵ３６１は、ディフェクト管理情報１２０を確定的ディフェクト管理エリア１０６又は１０７から読み取り（ステップＳ２０）、これをバックエンド４００に送る（ステップＳ２１）。ディフェクト管理情報１２０は、バックエンド４００のディフェクト管理部４７７に記憶される。
【０１７２】
以上より、ディフェクト管理情報１２０が作成され、あるいはディフェクト管理情報１２０が一時的ディフェクト管理エリア１０４又は１０５から選択的に読み取られ、あるいはディフェクト管理情報１２０が確定的ディフェクト管理エリア１０６又は１０７から読み取られ、ディフェクト管理情報作成部３６０内に記憶されると共に、バックエンド４００のディフェクト管理部４７７に記憶される。これにより、ディフェクト管理の準備が整い、初期設定が終了する。
【０１７３】
（情報記録再生装置の記録動作）
次に、記録再生装置２００の記録動作について説明する。図１１は主に記録再生装置２００の記録動作を示している。記録再生装置２００は、記録データを光ディスク１００のユーザデータエリア１０８に記録する記録動作を行う。記録再生装置２００は、ディフェクト管理に加えて又は代えてロジカルオーバーライトを行いながら記録動作を行う。更に、記録再生装置２００は、記録動作の中でベリファイ処理を行い、このベリファイ処理の結果に基づいてディフェクトリスト１２２を更新する。記録動作は、ドライブユニット３００のＣＰＵ３６１とバックエンド４００のシステム制御部４７６の協働によって実現する。
【０１７４】
図１１に示すように、ユーザが記録開始の指示を入力すると（ステップＳ３３：ＹＥＳ）、これに応じて、記録再生装置２００は記録データを記録する（ステップＳ３４）。記録データの記録は所定のブロックごとに行われる。記録再生装置２００は、バックエンド４００のディフェクト管理部４７７に記憶されたディフェクト管理情報１２０を参照し、これに基づいてディフェクト管理を行いながら、即ち、ディフェクトの存在する場所を避けながら、記録データを記録する。
【０１７５】
記録再生装置２００は、１ブロックの記録を行う度に、ベリファイを行い（ステップＳ３５）、ベリファイの結果に基づいて、ディフェクト管理情報１２０を更新する。ここで、尚、更新されるディフェクト管理情報１２０は、ドライブユニット３００のディフェクト管理情報作成部３６０内に記憶されたディフェクト管理情報である。具体的には、ベリファイの結果、記録データの記録に失敗したことを認識したときには（ステップＳ３６：ＹＥＳ）、ドライブユニット３００のＣＰＵ３６１は、当該記録に失敗した記録データ、即ち、退避データをスペアエリア１０９又は１１０に記録する（ステップＳ３７）。続いて、ＣＰＵ３６１は、当該記録データの記録すべきであった場所にディフェクトが存在すると推測し、その場所を示すディフェクトアドレスとそれに対応する代替記録アドレスをディフェクトリスト１２２に記録する（ステップＳ３８）。
【０１７６】
他方、ステップＳ３６の判定の結果、当該記録データの記録すべき場所にディフェクトが存在しないことが判明した場合（ステップＳ３６：ＮＯ）、ディフェクト管理情報の作成又は更新は行なわれないと共に、通常の記録動作が継続して行なわれる。
【０１７７】
今回記録すべき記録データの一連のブロックについて上記ステップＳ３４ないしＳ３８の処理が終了したとき（ステップＳ３９：Ｙｅｓ）、ＣＰＵ３６１は、更新したディフェクト管理情報１２０を光ディスク１００の一時的ディフェクト管理エリア１０４又は１０５に反復的に２回記録する（ステップＳ４０）。尚、ここで一時的ディフェクト管理エリア１０４又は１０５に記録されるディフェクト管理情報１２０は、ディフェクト管理情報作成部３６０内に記憶されたディフェクト管理情報である。以上で、記録動作は完了する。
【０１７８】
（情報記録再生装置のファイナライズ処理）
次に、記録再生装置２００におけるファイナライズ処理について説明する。図１２はファイナライズ処理を示している。例えばユーザがファイナライズ処理を行う旨の指示を入力すると（図１１中のステップＳ３１：ＹＥＳ）、記録再生装置２００は、光ディスクがファイナライズ済みでないことを確認した上で（ステップＳ５１：ＹＥＳ）、その光ディスク１００に対してファイナライズ処理を行う（ステップＳ５２）。ファイナライズ処理の際に、記録再生装置２００は、ディフェクト管理情報１２０を光ディスク１００の確定的ディフェクト管理エリア１０６又は１０７に反復的に２回記録する（ステップＳ５３）。但し、１回の記録であってもよいし、或いは３回以上の複数回の記録であってもよい。尚、ここで確定的ディフェクト管理エリア１０６又は１０７に記録されるディフェクト管理情報１２０は、ディフェクト管理情報作成部３６０内に記憶されたディフェクト管理情報１２０である。以上で、ファイナライズ処理は完了する。
【０１７９】
（情報記録再生装置の再生動作）
次に、記録再生装置２００の再生動作について説明する。図１３は記録再生装置２００の再生動作を示している。
【０１８０】
前述した図１１においてユーザが再生開始の指示を入力すると（ステップＳ３２：ＹＥＳ）、記録再生装置２００は、図１３に示すように、光ディスク１００が未記録ディスクでないことを確認した上で（ステップＳ７１：ＮＯ）、光ディスク１００のユーザデータエリア１０８に記録された記録データを再生する（ステップＳ７２）。記録再生装置２００は、バックエンド４００のディフェクト管理部４７７に記憶されたディフェクト管理情報１２０に基づいてディフェクト管理を行いながら、記録データの再生を行う。
【０１８１】
記録データの再生中には、逐次再生中のユーザデータエリア１０８が、ディフェクトリスト（ＤＦＬ：DeFect List）１２２に退避元アドレス又は代替元アドレスとして記録された場所に該当するか否かが判定されている（ステップＳ７３）。ここで、ディフェクトリスト（ＤＦＬ）に退避元アドレス又は代替元アドレスとして記録された場所であると判定された場合には（ステップＳ７３：ＹＥＳ）、更に、第１状態情報が、例えば「退避済み」である第１状態であるか否かが判定される（ステップＳ７４）。このことより、ディフェクトリストに記録された、スペアエリア１０９又は１１０内の退避元アドレス又は代替元アドレスは、ディフェクト管理の代替記録による退避元アドレスなのか、スペアエリアにおける代替記録による代替元アドレスなのかを識別することが可能となる。ここで、第１状態情報が、「第１状態」である場合（ステップＳ７４：ＹＥＳ）、当該アドレスは、ディフェクト管理の代替記録による退避元アドレスであると識別することができる（ステップＳ７５）。
【０１８２】
他方、ステップＳ７４の判定の結果、第１状態情報が、「第１状態」でなく、例えば「使用不可」である「第２状態」である場合（ステップＳ７４：ＮＯ）、当該アドレスは、スペアエリアにおける代替記録による代替元アドレスであると識別することができる（ステップＳ７６）。
【０１８３】
続いて、ディフェクトリストの代替先アドレス、又は、退避先アドレスの場所に記録されている記録データが再生される（ステップＳ７７）。
【０１８４】
尚、再生中に新たにディフェクトが発生した場合には、前述した図１１のステップＳ３６ないしステップＳ３８に従って、逐次ディフェクト管理が行なわれる。
【０１８５】
そして、再生終了か否かが判定され（ステップＳ７８）、再生が終了していれば（ステップＳ７８：ＹＥＳ）、再生動作を終了する。他方、再生が終了していなければ（ステップＳ７８：ＮＯ）、引き続きディフェクト管理情報に基づいて、ステップＳ７２からステップＳ７７までの再生動作を続ける。
【０１８６】
（情報記録再生装置の第１実施例の記録動作）
次に、図１４から図１７を参照して、本発明の情報記録再生装置の第１実施例に係る記録再生装置２００によって、ディフェクト管理を行った記録動作について一具体例を示しながら説明する。尚、説明を理解し易くするために、情報記録媒体には、ユーザデータエリア１０８、スペアエリア１０９、及び、例えば、一時的ディフェクト管理エリアの記録領域に記録されたディフェクトリスト１２２だけが存在するものとする。ここに、図１４は、本発明の情報記録再生装置の第１実施例に係る記録再生装置２００によって、ディフェクト管理を行った記録動作の第１及び第２フェイズにおけるＥＣＣブロック（所謂、クラスタ）単位の記録領域を示した図式的なデータ構造の概念図である。図１５は、本発明の情報記録再生装置の第１実施例に係る記録再生装置２００によって、ディフェクト管理を行った記録動作の第３フェイズにおけるＥＣＣブロック単位の記録領域及びディフェクトリストを示した図式的なデータ構造の概念図である。図１６は、本発明の情報記録再生装置の第１実施例に係る記録再生装置２００によって、ディフェクト管理を行った記録動作の第４フェイズにおけるＥＣＣブロック単位の記録領域及びディフェクトリストを示した図式的なデータ構造の概念図である。図１７は、本発明の情報記録再生装置の第１実施例に係る記録再生装置２００によって、ディフェクト管理を行った記録動作の第５フェイズにおけるＥＣＣブロック単位の記録領域及びディフェクトリストを示した図式的なデータ構造の概念図である。
【０１８７】
尚、図１５から図１７の各フェイズにおけるディフェクトリスト１２２のテーブル内の、１つのディフェクトリストエントリーは、前述の図６で説明したように、左側から順番に、第１状態情報、ディフェクトアドレス、及び、代替記録アドレスを示す。また、各ＥＣＣブロックは、例えば１６セクタによって構成されている。尚、各フェイズにおいては、説明の便宜上、ユーザデータエリア１０８におけるアドレス（ＥＣＣブロック番号）“Ｘ１”から“Ｘ３”、及び、スペアエリア１０９におけるアドレス“Ｙ１”から“Ｙ３”に着目する。
【０１８８】
図１４の第１フェイズに示されるように、記録領域として、ユーザデータエリア１０８及びスペアエリア１０９を備えて構成されている。特に、本実施例では、これらの記録領域に記録される記録データのアドレスに対応して、誤り検出をすることが可能であると共に、ディフェクトの位置を特定することが可能なＢＩＳ（Burst Indicator Subcode）データが示されている。より具体的には、記録領域のアドレス及びセクタ番号とＢＩＳデータとは１対１に対応し、記録領域に記録された記録データが有効な場合には、ＢＩＳデータにはダミーフラグは立てられない。即ち、ＢＩＳデータは、例えば“０”である。他方、記録領域に記録された記録データがダミーデータである場合、又は、無効な場合には、ＢＩＳデータにはダミーフラグが立てられる。即ち、ＢＩＳデータは、例えば“１”である。また、各記録領域における１つの最小ブロックは、１セクタを示している。各記録領域における１つの大きなブロックは、ＥＣＣブロックを示している。第１フェイズでは、すべての記録領域は未記録状態である。
【０１８９】
次に、図１４の第２フェイズに示されるように、ディフェクト管理情報が参照されながら記録データが実際に記録される。より具体的には、ユーザデータエリア１０８のアドレス“Ｘ０”で示されたＥＣＣブロックの全体、及び、ユーザデータエリア１０８のアドレス“Ｘ１”で示されたＥＣＣブロックの１及び２番目のセクタにおいて、ファイルＡの記録が行なわれる。尚、図１４中のユーザデータエリア１０８の記録データにおけるアドレス“Ｘ０”及びアドレス“Ｘ１”の右斜め上の斜線部分を参照。この記録データと対応して、アドレス“Ｘ１”の１及び２番目のセクタに対応するＢＩＳデータには、ダミーフラグは立てられない。即ち、ＢＩＳデータは、例えば“０”である。尚、図１４中のユーザデータエリア１０８のＢＩＳデータにおけるアドレス“Ｘ１”の１及び２番目のセクタの白抜き部分を参照。
【０１９０】
他方、アドレス“Ｘ１”で示されたＥＣＣブロックの３番目以降のセクタにおいては、ダミーデータが記録される。このダミーデータに対応して、アドレス“Ｘ１”の３番目以降のセクタに対応するＢＩＳデータには、ダミーフラグは立てられる。即ち、ＢＩＳデータは、例えば“１”である。尚、図１４中のユーザデータエリア１０８のＢＩＳデータにおけるアドレス“Ｘ１”の３番目以降のセクタのグレー部分を参照。
【０１９１】
次に、図１５の第３フェイズに示されるように、ディフェクト管理情報が参照されながら記録データがアドレス“Ｘ１”で示されたＥＣＣブロックへの記録が試みられる。より具体的には、ユーザデータエリア１０８のアドレス“Ｘ１”で示されたＥＣＣブロックの３から８番目のセクタにおいて、ファイルＢの記録が試みられる。
【０１９２】
ここで、記録再生装置２００が、ファイルBを記録するために、ユーザデータエリア１０８のアドレス“Ｘ１”で示されたＥＣＣブロックに既に記録されている記録データの読み込みに失敗したことが認識された場合、記録データ（ファイルＢ）、即ち、退避データは、スペアエリア１０９のアドレス“Ｙ１”で示されたＥＣＣブロックに記録される。より具体的には、ファイルＢが、スペアエリア１０９のアドレス“Ｙ１”で示されたＥＣＣブロックの３から８番目のセクタにおいて記録される。尚、図１５中のスペアエリア１０９のアドレス“Ｙ１”の記録データにおける水平線部分を参照。この記録データ（ファイルＢ）、即ち退避データと対応して、アドレス“Ｙ１”の３から８番目のセクタに対応するＢＩＳデータには、ダミーフラグは立てられない。即ち、ＢＩＳデータは、例えば“０”である。尚、図１５中のスペアエリア１０９のＢＩＳデータにおけるアドレス“Ｙ１”の３から８番目のセクタの白抜き部分を参照。
【０１９３】
他方、アドレス“Ｙ１”で示されたＥＣＣブロックの１及び２、並びに９番目以降のセクタにおいては、ダミーデータが記録される。このダミーデータに対応して、アドレス“Ｙ１”の１及び２、並びに９番目以降のセクタに対応するＢＩＳデータには、ダミーフラグは立てられる。即ち、ＢＩＳデータは、例えば“１”である。尚、図１５中のスペアエリア１０９のＢＩＳデータにおけるアドレス“Ｙ１”の１及び２、並びに９番目以降のセクタのグレー部分を参照。より詳細には、図１５中のスペアエリア１０９の記録データにおけるアドレス“Ｙ１”の１及び２番目のセクタ（右斜め上の点線の斜線部分を参照）はファイルＡのデータ量と等しい。
【０１９４】
続いて、記録再生装置２００は、当該記録データの記録すべきであった場所にディフェクトが存在すると推測し、その場所を示すディフェクトアドレス、即ち、ユーザデータエリア１０８における退避元アドレスであるアドレス“Ｘ１”と、それに対応する代替記録アドレス、即ち、スペアエリア１０９における退避先アドレスであるアドレス“Ｙ１”とをディフェクトリスト１２２に記録する。それと同時に、このディフェクトリストエントリーにおける第１状態情報は「退避済み」として記録される。尚、図１５中のディフェクトリスト１２２を参照。
【０１９５】
次に、図１６の第４フェイズに示されるように、前述の図１５におけるディフェクトリスト１２２が参照されながら記録データがアドレス“Ｘ１”の退避先アドレス“Ｙ１”で示されたＥＣＣブロックへの記録が試みられる。より具体的には、スペアエリア１０９のアドレス“Ｙ１”で示されたＥＣＣブロックの９から１３番目のセクタにおいて、ファイルＣの記録が試みられる。
【０１９６】
ここで、記録再生装置２００が、ファイルＣを記録するために、スペアエリア１０９のアドレス“Ｙ１”で示されたＥＣＣブロックに既に記録されている記録データの読み込みに失敗したことが認識された場合、記録データ（ファイルＣ）、即ち、退避データは、スペアエリア１０９のアドレス“Ｙ２”で示されたＥＣＣブロックに記録が試みられる。より具体的には、ファイルＣが、スペアエリア１０９のアドレス“Ｙ２”で示されたＥＣＣブロックの９から１３番目のセクタにおいて記録される。尚、図１６中のスペアエリア１０９のアドレス“Ｙ２”の記録データにおける左斜め上の斜線部分を参照。この記録データ（ファイルＣ）、即ち退避データと対応して、アドレス“Ｙ２”の９から１３番目のセクタに対応するＢＩＳデータには、ダミーフラグは立てられない。即ち、ＢＩＳデータは、例えば“０”である。尚、図１６中のスペアエリア１０９のＢＩＳデータにおけるアドレス“Ｙ２”の９から１３番目のセクタの白抜き部分を参照。
【０１９７】
他方、アドレス“Ｙ２”で示されたＥＣＣブロックの１から８、及び１４番目以降のセクタにおいては、ダミーデータが記録される。このダミーデータに対応して、アドレス“Ｙ２”の１から８、及び１４番目以降のセクタに対応するＢＩＳデータには、ダミーフラグは立てられる。即ち、ＢＩＳデータは、例えば“１”である。尚、図１６中のスペアエリア１０９のＢＩＳデータにおけるアドレス“Ｙ２”の１から８、及び１４番目以降のセクタのグレー部分を参照。より詳細には、図１６中のスペアエリア１０９の記録データにおけるアドレス“Ｙ２”の１及び２番目のセクタ（右斜め上の点線の斜線部分を参照）はファイルＡのデータ量と等しい。更に、３から８番目のセクタ（点線の水平線部分を参照）はファイルＢのデータ量と等しい。
【０１９８】
続いて、記録再生装置２００は、当該記録データの記録すべきであった場所にディフェクトが存在すると推測し、その場所を示すディフェクトアドレス、即ち、ユーザデータエリア１０８における退避元アドレスであるアドレス“Ｘ１”と、それに対応する代替記録アドレス、即ち、スペアエリア１０９における退避先アドレスであるアドレス“Ｙ２”とをディフェクトリスト１２２に記録する。それと同時に、このディフェクトリストエントリーにおける第１状態情報は「退避済み」として記録される。
【０１９９】
更に、記録再生装置２００は、ディフェクト管理には直接的には関係しないが、ディフェクトアドレスとして、スペアエリア１０９における退避先アドレスであるアドレス“Ｙ２”と、それに対応する代替記録アドレス、即ち、スペアエリア１０９における退避元アドレスであるアドレス“Ｙ１”とをディフェクトリスト１２２に追加的に記録する。それと同時に、このディフェクトリストエントリーにおける第１状態情報は「使用不可」として記録される。尚、図１６中のディフェクトリスト１２２を参照。
【０２００】
次に、図１７の第５フェイズに示されるように、前述の図１６におけるディフェクトリスト１２２が参照されながら記録データがアドレス“Ｘ１”の退避先アドレス“Ｙ２”で示されたＥＣＣブロックへの記録が試みられる。より具体的には、スペアエリア１０９のアドレス“Ｙ２”で示されたＥＣＣブロックの１４番目以降のセクタにおいて、ファイルＤの記録が試みられる。
【０２０１】
ここで、記録再生装置２００が、ファイルDを記録するために、スペアエリア１０９のアドレス“Ｙ２”で示されたＥＣＣブロックに既に記録されている記録データの読み込みに失敗したことが認識された場合、記録データ（ファイルＤ）、即ち、退避データは、スペアエリア１０９のアドレス“Ｙ３”で示されたＥＣＣブロックに記録が試みられる。より具体的には、ファイルＤが、スペアエリア１０９のアドレス“Ｙ３”で示されたＥＣＣブロックの１４番目以降のセクタにおいて記録される。尚、図１７中のスペアエリア１０９のアドレス“Ｙ３”の記録データにおける縦線部分を参照。この記録データ（ファイルＤ）、即ち退避データと対応して、アドレス“Ｙ３”の１４番目以降のセクタに対応するＢＩＳデータには、ダミーフラグは立てられない。即ち、ＢＩＳデータは、例えば“０”である。尚、図１７中のスペアエリア１０９のＢＩＳデータにおけるアドレス“Ｙ３”の１４番目以降のセクタの白抜き部分を参照。
【０２０２】
他方、アドレス“Ｙ３”で示されたＥＣＣブロックの１から１３番目のセクタにおいては、ダミーデータが記録される。このダミーデータに対応して、アドレス“Ｙ３”の１から１３番目のセクタに対応するＢＩＳデータには、ダミーフラグは立てられる。即ち、ＢＩＳデータは、例えば“１”である。尚、図１７中のスペアエリア１０９のＢＩＳデータにおけるアドレス“Ｙ３”の１から１３番目のセクタのグレー部分を参照。より詳細には、図１７中のスペアエリア１０９の記録データにおけるアドレス“Ｙ３”の１及び２番目のセクタ（右斜め上の点線の斜線部分を参照）はファイルＡのデータ量と等しい。更に、３から８番目のセクタ（点線の水平線部分を参照）はファイルＢのデータ量と等しい。更に、９から１３番目のセクタ（左斜め上の点線の斜線部分を参照）はファイルＣのデータ量と等しい。
【０２０３】
続いて、記録再生装置２００は、当該記録データの記録すべきであった場所にディフェクトが存在すると推測し、その場所を示すディフェクトアドレス、即ち、ユーザデータエリア１０８における退避元アドレスであるアドレス“Ｘ１”と、それに対応する代替記録アドレス、即ち、スペアエリア１０９における退避先アドレスであるアドレス“Ｙ３”とをディフェクトリスト１２２に記録する。それと同時に、このディフェクトリストエントリーにおける第１状態情報は「退避済み」として記録される。
【０２０４】
更に、記録再生装置２００は、ディフェクト管理には直接的には関係しないが、ディフェクトアドレスとして、スペアエリア１０９における退避先アドレスであるアドレス“Ｙ３”と、それに対応する代替記録アドレス、即ち、スペアエリア１０９における退避元アドレスであるアドレス“Ｙ２”とをディフェクトリスト１２２に追加的に記録する。それと同時に、このディフェクトリストエントリーにおける第１状態情報は「使用不可」として記録される。
【０２０５】
更に、記録再生装置２００は、ディフェクト管理には直接的には関係しないが、ディフェクトアドレスとして、スペアエリア１０９における退避先アドレスであるアドレス“Ｙ２”と、それに対応する代替記録アドレス、即ち、スペアエリア１０９における退避元アドレスであるアドレス“Ｙ１”とをディフェクトリスト１２２に追加的に記録する。それと同時に、このディフェクトリストエントリーにおける第１状態情報は「使用不可」として記録される。
【０２０６】
尚、図１７中のディフェクトリスト１２２を参照。
【０２０７】
（情報記録再生装置の第１実施例の作用効果の検討）
次に、図１８を参照して、本発明の情報記録再生装置に係る記録再生装置２００によって、ディフェクト管理を行った記録動作の作用効果について検討を加える。ここに、図１８は、比較例に係る記録再生装置２００によって、ディフェクト管理を行なった記録動作が行なわれた場合のＥＣＣブロック単位の記録領域及びディフェクトリストを示した図式的なデータ構造の概念図である。尚、図１８は、本実施例の第５フェイズに対応される。
【０２０８】
図１８に示されるように、比較例に係る記録再生装置の動作においては、ディフェクトリスト１２２ａを参照しても、第１状態情報が使用不可のディフェクトリストエントリーは、退避先アドレスの情報しか保持していない。第１状態情報が退避済みである最新のディフェクトリストエントリーだけが、退避元アドレスと退避先アドレスの情報を保持している。具体的には、最新のディフェクトリストエントリーに基づいて、退避元アドレス“Ｘ１”と退避先アドレス“Ｙ３”との対応関係しか識別することができない。
【０２０９】
より具体的には、比較例において、ディフェクト管理が行われた場合、図１８で示されたディフェクトリスト１２２ａを参照して、ファイルＣの読み取りを行う場合、ディフェクトリストの最新のディフェクトリストエントリーに基づいて、退避元アドレス“Ｘ１”のＥＣＣブロックが代替記録された退避先アドレス“Ｙ３”のＥＣＣブロックを読み取ることは可能である。しかし、退避先アドレス“Ｙ３”のＥＣＣブロックにおいて、ファイルＣの相当する部分においては、ダミーデータが記録されている。ディフェクトリスト１２２ａを参照しても、代替記録の履歴を、時間を遡って取得することはできないので、アドレス“Ｙ２”のＥＣＣブロックに実際記録されているファイルＣを読み取ることは不可能である。これに対して、本発明の情報記録再生装置に係る記録再生装置の動作においては、前述の図６及び図１５から図１７において説明したように、ディフェクトリスト１２２は、第１状態情報が退避済みである最新のディフェクトリストエントリーは、退避元アドレスと退避先アドレスとの情報を保持している。加えて、第１状態情報が使用不可のディフェクトリストエントリーにおいても、代替先アドレスの情報と代替元アドレスとの情報を保持している。
【０２１０】
以上より、ＲＭＷ処理時にリードエラーが発生した場合の代替処理後のリード（読み込み）時において、ディフェクトリストを参照して、代替記録の履歴を、時間を遡って取得することができるので、一度ディフェクトと判定されたＥＣＣブロックが再生出来るようになった場合（指紋の拭き取りや、記録装置の読み取り状態の変化等によって、ディフェクトと判定されない場合等）、ディフェクト管理（スペアエリアにおける代替記録）によって退避元アドレス（代替元アドレス）の場所に記録された記録データを再度再生することが可能となる。即ち、時間を遡って、過去の記録データを再度再生することが可能であるので、所望の記録データの読み取りを成功させる可能性を高める事が出来る。
【０２１１】
より具体的には、本実施例において、図１７で示されたディフェクトリスト１２２を参照して、ファイルＣの読み取りを行う場合、ディフェクトリストの最新のディフェクトリストエントリーに基づいて、退避元アドレス“Ｘ１”のＥＣＣブロックが代替記録された退避先アドレス“Ｙ３”のＥＣＣブロックを読み取ることができる。この退避先アドレス“Ｙ３”のＥＣＣブロックにおいて、ファイルＣの相当する部分においては、ダミーデータが記録されている。ディフェクトリスト１２２の２番目のディフェクトリストエントリーＤＦＬ２を参照して、代替記録の履歴を、時間を遡って取得することができるので、アドレス“Ｙ２”のＥＣＣブロックに実際記録されているファイルＣを、前回ディフェクトと判定された“Ｙ２”に、再度リード（読み込み）の試みをする事が可能となり、読み取りを成功させる確立を高める事が出来る。
【０２１２】
（情報記録媒体の第２実施例）
次に、図１９を参照して、本発明の情報記録媒体の第２実施例に係るディフェクト管理情報であるディフェクトリストについて説明する。ここに、図１９は、本発明の情報記録媒体の第２実施例に係るディフェクト管理情報のディフェクトリストの一具体例であるデータ構造を概念的に示したテーブル図である。
【０２１３】
図１９に示されるように、第２実施例に係るディフェクト管理情報のディフェクトリスト１２３の一具体例においては、前述した一つの「ディフェクトアドレス」と、一つの「代替記録アドレス」と、「第１状態情報」と、「第２状態情報」との組、即ち、ディフェクトリストエントリー（ＤＬＥ１からＤＬＥ３）が、追加されていく。
【０２１４】
「ディフェクトアドレス」は、前述した図６（ｂ）の第１実施例の説明と概ね同様に、ディフェクト管理によるユーザデータエリア内の退避元アドレス、又は、スペアエリアにおける代替記録によるスペアエリアの代替元アドレスを示す。
【０２１５】
「代替記録アドレス」は、前述した図６（ｂ）の第１実施例の説明と概ね同様に、ディフェクト管理によるユーザデータエリア内の退避先アドレス、又は、スペアエリアにおける代替記録によるスペアエリア内の代替先アドレスを示す。
【０２１６】
「第１状態情報」は、前述した図６（ｂ）の第１実施例の説明と概ね同様に、ディフェクトエントリーが、「退避済み」であるのか、或いは、「使用不可」であるのかを示す。
【０２１７】
「第２状態情報」は、ディフェクト管理に基づくスペアエリア内の退避先アドレスに記録されたＢＩＳデータのダミーフラグ情報を示す。
【０２１８】
この第２状態情報をディフェクトリストから読み取ることによって、所望となる、セクタ番号が有効なＥＣＣブロックのアドレスに直接アクセスすることが可能となり、所望のファイル等の記録データへのアクセス時間を短縮することが可能となる。
【０２１９】
仮に、第１実施例のように、第２状態情報がディフェクトリストにない場合、ダミーフラグの状態を認識するために、スペアエリア内の代替元アドレスにアクセスし、ダミーフラグの読み取りを行う必要があり、所望となる、セクタ番号が有効なＥＣＣブロックへのアクセス時間を相対的に長くさせてしまう。
【０２２０】
これに対して、第２状態情報がディフェクトリストにある場合、この第２状態情報をディフェクトリストから読み取ることによって、所望となる、セクタ番号が有効なＥＣＣブロックアドレスに直接アクセスすることが可能となり、所望のファイル等の記録データへのアクセス時間を短縮することが可能となる。
【０２２１】
より具体的には、ディフェクトリストの下側から上側に向かって説明すると、ディフェクトリストエントリーＤＬＥ３は、ユーザデータエリアにおける退避元アドレスＡと、スペアエリアにおける退避先アドレス３と、「退避済み」であることを示す第１状態情報と、ディフェクト管理に基づくスペアエリア内の退避先アドレス３における記録済み又は未記録等の記録状態を示す第２状態情報との組である。ディフェクトリストエントリーＤＬＥ２は、スペアエリアにおける代替元アドレス２と、スペアエリアにおける代替先アドレス３と、「使用不可」であることを示す第１状態情報と、スペアエリアにおける代替記録に基づくスペアエリア内の代替元アドレス２の記録済み又は未記録等の記録状態を示す第２状態情報との組である。ディフェクトリストエントリーＤＬＥ１は、スペアエリアにおける代替元アドレス１と、スペアエリアにおける代替先アドレス２と、「使用不可」であることを示す第１状態情報と、スペアエリアにおける代替記録に基づくスペアエリア内の代替元アドレス１の記録済み又は未記録等の記録状態を示す第２状態情報との組である。
【０２２２】
尚、上述した第２実施例に係るディフェクトリストの一具体例における、第１状態情報のデータ量や、ディフェクトアドレス及び代替記録アドレスの表現方法等は、第１実施例の場合と同様である。
【０２２３】
（情報記録再生装置の第２実施例の記録動作）
次に、図２０を参照して、本発明の情報記録再生装置の第２実施例に係る記録再生装置２００によって、ディフェクト管理を行った記録動作について一具体例を示しながら説明する。ここに、図２０は、本発明の情報記録再生装置の第２実施例に係る記録再生装置２００によって、ディフェクト管理を行った記録動作の第５フェイズにおけるＥＣＣブロック単位の記録領域及びディフェクトリストを示した図式的なデータ構造の概念図である。
【０２２４】
尚、ユーザデータエリア１０８、該ユーザデータエリアに記録された記録データ及びＢＩＳデータ、スペアエリア１０９、該スペアエリアに記録された記録データ及びＢＩＳデータ、並びに、ディフェクトリスト１２３等のデータ構造は第１実施例と概ね同様である。また、各ＥＣＣブロックは、第１実施例と同様に、例えば１６セクタによって構成されている。また、各フェイズにおいては、第１実施例と同様に、説明の便宜上、ユーザデータエリア１０８におけるアドレス（ＥＣＣブロック番号）“Ｘ１”から“Ｘ３”、及び、スペアエリア１０９におけるアドレス“Ｙ１”から“Ｙ３”に着目する。また、第２実施例に係る第１及び第２フェイズは、前述した第１実施例の図１４と、第３フェイズは前述した図１５、第４フェイズは前述した図１６と概ね同様である。
【０２２５】
図２０で示された第２実施例の第５フェイズにおける記録動作は、前述した図１７で説明した第１実施例の第５フェイズにおける記録動作と概ね同様である。
【０２２６】
ディフェクト管理に基づく一連のファイルＣの記録動作後に、記録再生装置２００は、ディフェクトリスト１２３を作成する。
【０２２７】
特に、第５フェイズにおける第２実施例に係るディフェクトリスト１２３のテーブル内のディフェクトリストエントリーＤＬＥ１、ＤＬＥ２及びＤＬＥ３においては、第１状態情報、とディフェクトアドレスとの間に、前述の図１９において説明した第２状態情報が追加されている。
【０２２８】
このディフェクトリストエントリーＤＬＥ１の第２状態情報は、スペアエリアにおける代替記録に基づくスペアエリア内の代替元アドレスの記録状態を示す。より具体的には、スペアエリアにおける代替元アドレスであるアドレス“Ｙ１”のＢＩＳデータである２進数で表現された「１１００００００１１１１１１１１」を示す。このディフェクトリストエントリーＤＬＥ１の第２状態情報をディフェクトリストから読み取ることによって、所望となる、セクタ番号が３から８番目のセクタが有効なＥＣＣブロックが、存在するアドレス“Ｙ１”に直接アクセスすることが可能となり、所望のファイルＢの記録データの読み込みの試みのためのアクセス時間を短縮することが可能となる。
【０２２９】
また、このディフェクトリストエントリーＤＬＥ２の第２状態情報は、スペアエリアにおける代替記録に基づくスペアエリア内の代替元アドレスの記録状態を示す。より具体的には、スペアエリアにおける代替元アドレスであるアドレス“Ｙ２”のＢＩＳデータである２進数で表現された「１１１１１１１１０００００１１１」を示す。このディフェクトリストエントリーＤＬＥ２の第２状態情報をディフェクトリストから読み取ることによって、所望となる、セクタ番号が９から１３番目のセクタが有効なＥＣＣブロックが、存在するアドレス“Ｙ２”に直接アクセスすることが可能となり、所望のファイルＣの記録データの読み込みの試みのためのアクセス時間を短縮することが可能となる。
【０２３０】
また、このディフェクトリストエントリーＤＬＥ３の第２状態情報は、ディフェクト管理に基づくスペアエリア内の退避先アドレスの記録状態を示す。より具体的には、スペアエリアにおける退避先アドレスであるアドレス“Ｙ３”のＢＩＳデータである２進数で表現された「１１１１１１１１１１１１１０００」を示す。このディフェクトリストエントリーＤＬＥ３の第２状態情報をディフェクトリストから読み取ることによって、所望となる、セクタ番号が１４から１６番目のセクタが有効なＥＣＣブロックが、存在するアドレス“Ｙ３”に直接アクセスすることが可能となり、所望のファイルＤの記録データの読み込みの試みのためのアクセス時間を短縮することが可能となる。
【０２３１】
尚、図２０中のディフェクトリスト１２３を参照。
【０２３２】
以上より、本実施例の記録再生装置２００によれば、光ディスク１００をファイナライズする前においては、ディフェクト管理情報１２０を光ディスク１００の一時的ディフェクト管理エリア１０４又は１０５に記録し、光ディスク１００をファイナライズするときには、ディフェクト管理情報１２０を光ディスク１００の確定的ディフェクト管理エリア１０６又は１０７に記録する。又はイナライズされていない光ディスク１００に対しては、ディフェクト管理情報１２０を光ディスク１００の一時的ディフェクト管理エリア１０４又は１０５から読み取り、ファイナライズ済みの光ディスク１００に対しては、ディフェクト管理情報１２０を光ディスク１００の確定的ディフェクト管理エリア１０６又は１０７から読み取る。これにより、ファイナライズ前の光ディスク１００に対しても、ファイナライズ済みの光ディスク１００に対しても、適切なディフェクト管理を行いながら、記録データの記録又は再生を実現することができる。
【０２３３】
また、本実施例の記録再生装置２００によれば、ファイナライズ処理の際に、ディフェクト管理情報１２０を光ディスク１００の確定的ディフェクト管理エリア１０６又は１０７に記録する構成としたから、追記型光ディスク１００と一般の書換型光ディスクとの間の互換性を確立することができる。
【０２３４】
尚、上述した実施例では、本発明の情報記録媒体を一層の光ディスクに適用した場合を例に挙げたが、本発明はこれに限らず、２層以上の光ディスクにも適用することができる。図２１は本発明の情報記録媒体を２層光ディスクに適用した場合の例を示している。図２１中の２層光ディスク１５０の第１層（図２１中の上段）には、光ディスク１００と同様に、リードインエリア１５１、データゾーン１５２、リードアウトエリア１５３が設けられている。更に、リードインエリア１５１内及びリードアウトエリア１５３内には夫々確定的ディフェクト管理エリア１５６及び１５７が設けられている。更に、また、データゾーン１５２内にはユーザデータエリア１５８を中心にして、スペアエリア１５９及び１６０、並びに、一時的ディフェクト管理エリア１５４及び１５５が設けられている。第２層（図２１中の下段）にも、光ディスク１００と同様に、リードインエリア１７１、データゾーン１７２、リードアウトエリア１７３が設けられている。更に、リードインエリア１７１内及びリードアウトエリア１７３内には夫々確定的ディフェクト管理エリア１７６及び１７７が設けられている。更に、また、データゾーン１７２内にはユーザデータエリア１７８を中心にして、スペアエリア１７９及び１８０、並びに、一時的ディフェクト管理エリア１７４及び１７５が設けられている。
【０２３５】
更に、本実施例の記録再生装置２００によれば、追記型又は書換型の情報記録媒体におけるディフェクト管理による代替のほかに、例えば、追記型の情報記録媒体におけるロジカルオーバーライト（ＬＯＷ：Logical Overwrite）による代替記録動作においても、概ね同様なディフェクトリストを作成することが可能である。ここに、ロジカルオーバーライトとは、上述の如き、ディフェクト管理の仕組みを利用して、記録済みの場所と同じアドレスにデータを記録する場合、この記録済みの場所のアドレスを、代替元アドレスとし、記録されるデータを、代替先アドレスの場所に代替的に記録することである。
【０２３６】
尚、本発明の実施例の説明に用いた図面は、本発明の記録媒体、記録装置又は再生装置の構成要素等を、その技術思想を説明する限りにおいて具体化したものであり、各構成要素等の形状、大きさ、位置、接続関係などは、これに限定されるものではない。
【０２３７】
加えて、上述の実施例では、記録媒体の一例として光ディスク１００並びに再生記録装置の一例として光ディスク１００に係るレコーダ又はプレーヤについて説明したが、本発明は、光ディスク並びにそのレコーダ又はプレーヤに限られるものではなく、他の高密度記録或いは高転送レート対応の各種情報記録媒体並びにそのレコーダ又はプレーヤにも適用可能である。
【０２３８】
また、本発明は、請求の範囲及び明細書全体から読み取るこのできる発明の要旨又は思想に反しない範囲で適宜変更可能であり、そのような変更を伴う情報記録媒体、記録装置、再生装置、記録方法、再生方法並びにこれらの機能を実現するコンピュータプログラムもまた本発明の技術思想に含まれる。
【図面の簡単な説明】
【０２３９】
【図１】本発明の情報記録媒体の第１実施例を示す説明図である。
【図２】本発明の情報記録媒体の第１実施例におけるディフェクト管理情報の内容を示す説明図である。
【図３】本発明の情報記録媒体の第１実施例におけるディフェクトリストの一例を示す説明図である。
【図４】本発明の情報記録媒体の第１実施例における一時的ディフェクト管理エリアの記録内容の一例を示す説明図である。
【図５】本発明の情報記録媒体の第１実施例における確定的ディフェクト管理エリアの記録内容の一例を示す説明図である。
【図６】本発明の情報記録媒体の第１実施例におけるディフェクトリストの一具体例（図６（ａ））と他の具体例（図６（ｂ））を示す説明図である。
【図７】本発明の記録装置及び再生装置の第１実施例である記録再生装置を示すブロック図である。
【図８】本発明の情報記録再生装置の第１実施例の記録再生装置のディスクドライブを示すブロック図である。
【図９】本発明の情報記録再生装置の第１実施例の記録再生装置のバックエンドを示すブロック図である。
【図１０】本発明の情報記録再生装置の第１実施例の記録再生装置における初期設定動作を示すフローチャートである。
【図１１】本発明の情報記録再生装置の第１実施例の記録再生装置における記録動作等を示すフローチャートである。
【図１２】本発明の情報記録再生装置の第１実施例の記録再生装置におけるファイナライズ処理を示すフローチャートである。
【図１３】本発明の情報記録再生装置の第１実施例の記録再生装置における再生動作を示すフローチャートである。
【図１４】本発明の情報記録再生装置の第１実施例に係る記録再生装置２００によって、ディフェクト管理を行った記録動作の第１及び第２フェイズにおけるＥＣＣブロック（所謂、クラスタ）単位の記録領域を示した図式的なデータ構造の概念図である。
【図１５】本発明の情報記録再生装置の第１実施例に係る記録再生装置２００によって、ディフェクト管理を行った記録動作の第３フェイズにおけるＥＣＣブロック単位の記録領域及びディフェクトリストを示した図式的なデータ構造の概念図である。
【図１６】本発明の情報記録再生装置の第１実施例に係る記録再生装置２００によって、ディフェクト管理を行った記録動作の第４フェイズにおけるＥＣＣブロック単位の記録領域及びディフェクトリストを示した図式的なデータ構造の概念図である。
【図１７】本発明の情報記録再生装置の第１実施例に係る記録再生装置２００によって、ディフェクト管理を行った記録動作の第５フェイズにおけるＥＣＣブロック単位の記録領域及びディフェクトリストを示した図式的なデータ構造の概念図である。
【図１８】比較例に係る記録再生装置２００によって、ディフェクト管理を行なった記録動作が行なわれた場合のＥＣＣブロック単位の記録領域及びディフェクトリストを示した図式的なデータ構造の概念図である。
【図１９】本発明の情報記録媒体の第２実施例に係るディフェクト管理情報のディフェクトリストの一具体例であるデータ構造を概念的に示したテーブル図である。
【図２０】本発明の情報記録再生装置の第２実施例に係る記録再生装置２００によって、ディフェクト管理を行った記録動作の第５フェイズにおけるＥＣＣブロック単位の記録領域及びディフェクトリストを示した図式的なデータ構造の概念図である。
【図２１】本発明の情報記録媒体の他の実施例を示す説明図である。
【符号の説明】
【０２４０】
１００…光ディスク
１０１…リードインエリア
１０３…リードアウトエリア
１０４、１０５…一時的ディフェクト管理エリア
１０６、１０７…確定的ディフェクト管理エリア
１０８…ユーザデータエリア
１０９、１１０…スペアエリア
１２０…ディフェクト管理情報
１２２（１２３）…ディフェクトリスト
２００…記録再生装置
３６０…ディフェクト管理情報作成部
４７７…ディフェクト管理部
ＤＬＥ１〜４…ディフェクトリストエントリー
【図１】
2005322337.tif 000003
【図２】
2005322337.tif 000004
【図３】
2005322337.tif 000005
【図４】
2005322337.tif 000006
【図５】
2005322337.tif 000007
【図６】
2005322337.tif 000008
【図７】
2005322337.tif 000009
【図８】
2005322337.tif 000010
【図９】
2005322337.tif 000011
【図１０】
2005322337.tif 000012
【図１１】
2005322337.tif 000013
【図１２】
2005322337.tif 000014
【図１３】
2005322337.tif 000015
【図１４】
2005322337.tif 000016
【図１５】
2005322337.tif 000017
【図１６】
2005322337.tif 000018
【図１７】
2005322337.tif 000019
【図１８】
2005322337.tif 000020
【図１９】
2005322337.tif 000021
【図２０】
2005322337.tif 000022
【図２１】
2005322337.tif 000023